(57)【特許請求の範囲】
【請求項１】
底部と、釣鐘状部と、容器の内部に通じる開口部を画定するネック部及び終端部と、側壁と釣鐘状部との間の肩部と、を有する容器であって、容器は、
底部と釣鐘状部との間に配置される側壁を備え、側壁は、平坦脚底部に接続され、かつ中心軸線にほぼ沿って延在して少なくとも容器の内部を画定し、側壁は、複数の側壁リブを有し、前記容器は更に、
側壁の把持部であって、把持部が、周状に配置される複数の把持部リブを備える、把持部と、
側壁のラベル部分と、
複数のストラップリブであって、ストラップリブ群の各ストラップリブが、底部の略中心部から延在して、底部の周囲に延在する底部リブの周縁または境界で終端する側壁端を有し、少なくとも１つのストラップリブが、側壁の少なくとも１つの陥凹コラムと揃っており、側壁及び底部に沿った曲げ、傾倒、潰れ、又は延伸のうちの少なくとも１つに耐える、複数のストラップリブと、
隣接するストラップリブとストラップリブとの間に離間して配置される複数の荷重用リブであって、荷重用リブ群が、底部の変形に耐えるように構成される、複数の荷重用リブと、
ストラップリブ群と荷重用リブ群との間に形成される複数の脚部であって、複数の脚部が、容器の座面を含む、複数の脚部とを備え、
複数の側壁リブには、複数の把持部リブと、複数のラベル部リブとが含まれており、
複数の側壁リブが、側壁の外周面に沿って配置される種々の深さの複数のリブを備え、種々の深さのリブそれぞれが、複数の浅いセクションおよび複数の深いセクションを備え、浅いセクションそれぞれが、深いセクションそれぞれのリブ深さより浅いリブ深さを有し、複数の浅いセクションが、複数の陥凹コラムを形成するように中心軸線に沿って鉛直方向に揃えられ、かつ種々の深さの複数のリブが、複数の一定深さのリブのフープ強度に近いフープ強度を備え、
容器の重量が最小限にされる、容器。
【請求項２】
複数のストラップリブが３個のストラップリブを備え、ストラップリブ群は、底部の周囲に離間して配置される、請求項１に記載の容器。
【請求項３】
複数の荷重用リブが、６個の荷重用リブを備え、荷重用リブ群のうちの２個の荷重用リブは、２個のストラップリブの間に等間隔で離間して配置される、請求項１に記載の容器。
【請求項４】
各荷重用リブが、容器の側壁の略近傍の底部に沿って終端する側壁端を備える、請求項１に記載の容器。
【請求項５】
荷重用リブ群の側壁端の各側壁端が、ストラップリブ群の側壁端よりも中心軸線に沿って垂直方向に低い、請求項４に記載の容器。
【請求項６】
荷重用リブ群の側壁端が、容器の側壁に沿って、ストラップリブ群の側壁端の高さに等しい中心軸線に沿った高さの位置で終端する、請求項４に記載の容器。
【請求項７】
底部が更に、底部の周囲に延在する底部リブを備えることにより、底部リブが底部を側壁の把持部に接続する、請求項１に記載の容器。
【請求項８】
ストラップリブ群の各ストラップリブが、底部リブを超えて容器の側壁に入り込んで延在することにより、底部リブを複数のセグメントに分断する、請求項７に記載の容器。
【請求項９】
複数のストラップリブが、底部リブを１２０度のセグメントに分断する３個のストラップリブを備える、請求項８に記載の容器。
【請求項１０】
底部が更に、容器の中心軸線を中心に配置されるゲートと、ゲートから容器の座面に向かって延在する壁と、ゲートを直接取り囲むドームと、を備え、ドームは、底部の壁のうちの、容器の座面に向かってより急峻に傾斜する部分である、請求項１に記載の容器。
【請求項１１】
ストラップリブ群の各ストラップリブが、ドーム内で、且つゲートの周辺の近傍で終端する底部端を有する、請求項１０に記載の容器。
【請求項１２】
底部端が、ドームの周辺でほぼ終端する、請求項１１に記載の容器。
【請求項１３】
底部端が、ドーム領域の外部に配置される、請求項１１に記載の容器。
【請求項１４】
各ストラップリブが更に、ストラップリブを底部の一部、及び脚部の一部に接続する２つのリブ側壁を備える、請求項１に記載の容器。
【請求項１５】
リブ側壁群の各リブ側壁が、底部及び脚部になだらかに徐々に移行して、これらの移行部が容器の球面形状部を構成するようになる、請求項１４に記載の容器。
【請求項１６】
ストラップリブ群が、底部に食い込む深さを有し、深さは、底部に食い込む荷重用リブ群の深さよりも深い、請求項１に記載の容器。
【請求項１７】
ストラップリブ群の各ストラップリブが、容器の座面に略平行な底部端を起点として、次に第１半径を有する上方湾曲経路に沿って、漸増する正の傾斜で延在し、第１高さの位置では、ストラップリブの湾曲経路の第１半径部が、直線部分に入り込んで延在する手前で、第２半径部に、漸増する正の傾斜で変化し、第２高さの位置では、直線部分がストラップリブの側壁端に接続される、請求項１０に記載の容器。
【請求項１８】
第１半径部及び第２半径部が一体となって、ストラップリブ及び底部に、なだらかに徐々に変化する球面形状を付与することにより、容器が内圧をより良好に吸収するようになる、請求項１７に記載の容器。
【請求項１９】
球面形状が、球面形状以外の形状を有する容器が吸収することができる内圧の少なくとも２倍の内圧を吸収する、請求項１８に記載の容器。
【請求項２０】
第１半径が、２０〜８５ミリメートルの範囲の値を有し、第２半径は、０〜３０ミリメートルの範囲の値を有し、容器の直径は、３０〜２００ミリメートルの範囲の値を有する、請求項１８に記載の容器。
【請求項２１】
第１半径が略４５ミリメートルであり、第２半径は略１０ミリメートルであり、容器の直径は略６６ミリメートルである、請求項２０に記載の容器。
【請求項２２】
第１高さが、５〜３５ミリメートルの範囲の値を有し、第２高さは、１０〜６０ミリメートルの範囲の値を有し、容器は、６５〜３００ミリメートルの範囲の合計高さを有する、請求項１８に記載の容器。
【請求項２３】
第１高さが略１４．９ミリメートルであり、第２高さは略２６．５ミリメートルであり、容器は、略１９６〜１９７ミリメートルの範囲の合計高さを有する、請求項２２に記載の容器。
【請求項２４】
ストラップリブが更に、第１半径部と第２半径部との間の湾曲経路に沿って配置される第１移行湾曲部、及び／又は第２半径部と直線部分との間の湾曲経路に配置される第２移行湾曲部を備えることにより、ストラップリブ及び底部が略球面の断面形状を有するようになる、請求項１８に記載の容器。
【発明の詳細な説明】
【技術分野】
【０００１】
本出願は、２０１３年１２月２６日に出願された“Ｐｌａｓｔｉｃ  Ｃｏｎｔａｉｎｅｒ  ｗｉｔｈ  Ｓｔｒａｐｐｅｄ  Ｂａｓｅ”と題する米国特許出願第１４／１４１，２２４号の一部継続出願であり、且つ米国特許出願第１４／１４１，２２４号の利益を主張するものであり、米国特許出願第１４／１４１，２２４号は、２０１２年１２月２７日に出願された米国仮特許出願第６１／７４６，５３５号の利益を主張するものであり、これらの特許出願の両方の開示内容全体が、本明細書において参照されることにより本明細書に組み込まれる。
【０００２】
本出願は概して、プラスチック容器に関し、特に、変形に耐えながら液体を保持するように設計されるプラスチック容器に関する。
【背景技術】
【０００３】
プラスチック容器は、飲料を詰め込むためのガラス容器又は金属容器に取って替わって数十年に亘って使用されている。飲料容器を製造するために今日最も広く使用されているプラスチックはポリエチレンテレフタレート（ＰＥＴ）である。ＰＥＴからなる容器は、透明であり、壁厚が薄く、容器の形状を、容器の壁に容器の内容物から加わる力に耐えることにより保持することができる。ＰＥＴ樹脂は、妥当な価格でもあり、且つ処理が容易である。ＰＥＴボトルは普通、プラスチックプリフォームをブロー成形する成形法により形成され、これらのプリフォームは、ＰＥＴ樹脂を射出成形することにより形成されている。
【発明の概要】
【発明が解決しようとする課題】
【０００４】
プラスチック包装の利点として、ガラスと比較した場合の軽量であり、破断が少なく、更には、製造及び輸送の両方を考慮に入れた場合に、コストが低いことを挙げることができる。プラスチック包装はガラスの場合よりも軽量であるが、プラスチック包装を最も軽量化することができるようにして、輸送及び製造の両方におけるコスト節減を、プラスチックをより少なく含む容器を、良好な機械的特性を示し続ける状態で形成して使用することにより最大限に達成することに大きな関心が依然として注がれている。
【課題を解決するための手段】
【０００５】
ボトリング業は、補助梱包部材をケース又はパレットから取り除く方向に動いている。フィルムのみを貼って厚紙を設けないボトルのケースは、補助梱包部材の“フィルムのみへの転換”又は“軽量化”と呼ばれている。厚紙のような支持部材を取り除くと、応力がボトルに更に加わるようになり、これにより、ボトルに対する構造的な要求が一層過酷になる。特定の実施形態では、ボトル構造は、曲げ破損、及び点荷重破損を減らせるという利点のうちの１つ以上の利点を提供することができる。本開示の構造実施形態は、出荷中及び取り扱い（フィルムのみでの梱包を含む）中の応力を、ブロー成形の容易さを維持しながら軽減することができる。特定の実施形態では、ボトル構造は、より少量の樹脂を、同じ、又は同様の機械的性能を達成するために使用することにより、軽量の製品が得られる。
【０００６】
本明細書において開示されるボトルの種々実施形態は、クリープ及び緩和の粘弾性を有するポリエチレンテレフタレート（ＰＥＴ）を使用することができる。プラスチックとして、ＰＥＴ及び他の樹脂は、使用中に普通に遭遇する温度で緩和し易い。この緩和は、時間の経過とともに変化する応力であり、この応力は、歪みの影響で和らぐ。曲げにより、歪みが、引張り荷重に見られる歪みよりも極めて大きくなってしまう。歪みが極めて大きくなるので、曲げの緩和により、ずっと過酷な状況に陥ってしまう。曲げは、複数の長さ規模で生じる。曲げは、ボトルの長さ規模で、又は小さな長さ規模で生じてしまう。ボトルの長さ規模での曲げの例は、人間が、ボトルを彼／彼女の手で曲げたり、又はパレット上でのケースへの梱包中に受ける曲げである。小規模の曲げの例は、ボトルの壁のリブ又は他の小さな形状部の撓み、又は折り曲げである。荷重が、第１のより大きな長さ規模で掛かると、リブは、局所的なより小さな長さ規模で曲がる。これらのリブが、この姿勢に保持されて時間が経過すると、これらのリブは、緩和により恒久的に変形することになる。
【０００７】
更に、本明細書において開示されるボトルの種々実施形態は、加圧状態になる可能性がある。ボトルの内部の圧力は、ボトルに炭酸飲料を収容することにより発生する。ボトルの内部の圧力は、ボトリング及び梱包している最中に行なわれる加圧手順又は加圧作業により発生する。例えば、ボトルを加圧して、ボトルがボトル形状を保持し易くすることができる。別の例として、ボトルを特定のガスで加圧して、ボトルに収容される飲料を保持し易くすることができる。
【０００８】
本明細書において開示されるボトルの種々実施形態は、例えば圧力が使用されない場合、又は緩和される場合のように、強度及び剛性をバランスさせて、上に説明した曲げに、フープ強度を保ちながら耐えることができる種々の深さのリブを有する。平坦な、且つ／又は浅い深さのリブの集合体は、陥凹コラムとしてボトル本体内で機能し、これらの陥凹コラムは、曲げ力及び押潰し力を壁に沿って分散させて、傾倒、延伸、及び潰れに耐えるようになっている。平坦な、且つ／又は浅い深さのリブ群からなる集合体は、ボトルがボトル形状を加圧中に保ち易くすることができる、例えば加圧時のボトルの延伸を阻止し易くすることができる。ボトルの延伸を阻止することにより、所望のボトル形状を保持し易くなって、本明細書において説明されるボトルを、例えばボトルの高さを略一定に保持することにより梱包し易くすることができる。ボトルの延伸を阻止することにより、ラベルをボトルのラベル部分に貼り易くすることができる。例えば、ラベルをボトルに貼る場合、ボトルの延伸を阻止することにより、ラベルパネル部分におけるボトルの長さ、又は高さを一定に保持し易くし、これにより、ラベルの破れを防止し易くすることができる、且つ／又はラベルがボトルから少なくとも部分的に剥がれるの（すなわち、ボトルとラベルとの間の接着不良）を防止し易くすることができる。種々の深さのリブの特徴及び機能は、現在は、“Ｐｌａｓｔｉｃ  Ｃｏｎｔａｉｎｅｒ  Ｈａｖｉｎｇ  Ｓｉｄｅｗａｌｌ  Ｒｉｂｓ  ｗｉｔｈ  Ｖａｒｙｉｎｇ  Ｄｅｐｔｈ”と題する米国特許第８、５５６、０９８号になっている、２０１２年１２月４日に出願された“Ｐｌａｓｔｉｃ  Ｃｏｎｔａｉｎｅｒ  ｗｉｔｈ  Ｖａｒｙｉｎｇ  Ｄｅｐｔｈ  Ｒｉｂｓ”と題する米国特許出願第１３／７０５，０４０号に開示されており、米国特許第８，５５６，０９８号は、２０１１年１２月５日に出願された“Ｐｌａｓｔｉｃ  Ｃｏｎｔａｉｎｅｒ  ｗｉｔｈ  Ｖａｒｙｉｎｇ  Ｄｅｐｔｈ  Ｒｉｂｓ”と題する米国仮特許出願第６１／５６７，０８６号の利益を主張しており、これらの特許出願の各々の開示内容全体が、本明細書において参照されることにより本明細書に組み込まれる。
【０００９】
バランスを平坦及び／又は浅リブ群と深リブ群との間で取って、曲げ、傾倒、及び／又は延伸に対する所望の耐性を、軽量ボトルの剛性を保ちながら確保することができる。幾つかの実施形態では、上記所望の品質のうちの少なくとも幾つかの品質は、ボトルの釣鐘状部をより急峻にすることにより更に高めることができる。釣鐘状部をより急峻にすることにより、軽量の釣鐘状部の耐押潰性を高めることができる。軽量のボトル本体及び釣鐘状部は、より多量の樹脂を、ボトルのより厚い底部に残すことができ、これにより安定性を高めることができる。より厚い底部は、曲げ力、及び押潰し力により強く耐えることができ、且つ底部が梱包中、出荷中、及び／又は取り扱い中にダメージを受ける場合でも許容できるようにボトル直径よりも大きな底部直径を持つ構造の利点を生かすことができる。
【００１０】
本明細書において開示される種々実施形態は底部リブを有し、底部リブは、底部からボトルの側壁までストラップとして機能することにより、曲げ、傾倒、延伸、及び／又は撓みに対する耐性を、剛性を保ちながら、一層高め易くすることができる。底部のストラップリブは、底部が圧力を受けている状態で変形に耐え易くすることができ、底部を軽量ボトルに対して（すなわち、これも圧力に耐えることができない平坦脚底部の壁厚に対して）過度に重くする必要がない。ストラップ底部リブを平坦脚底部に取り入れることができる。平坦脚底部は、脚底部の厚さを保持し易くする。脚底部の厚さを保持することにより、底部が梱包中、出荷中、及び／又は取り扱い中の曲げ、及び点荷重を含む力に直接耐えることを必要とする、例えばフィルムのみでの梱包のような軽量梱包を利用する梱包中及び取り扱い中のボトル完全性を保持し易くする。平坦脚底部は、例えば軽量ボトルの底部の相対的な脚部厚さを保持することができるので、内圧を受ける状態で、又は内圧を受けない状態で良好に機能する。ストラップリブを設けない場合、底部は、耐内圧性を殆ど持つことができず、広がってしまう（突然広がって底部が揺れ動き易くなる）。ストラップ状にされた底部リブは、本明細書において説明されるように、比較的重い脚底部を必要とすることなく、ダメージ及び変形に耐え易くする。比較的重い脚底部を必要とすることがないので、軽量ボトルに関して、より少量の材料で済ませることができる。更に、ストラップ状にされた底部構造の場合、ブロー成形法を他の公知の耐圧性底部よりも比較的容易に実施することができる。従って、本明細書において開示されるストラップリブを有する底部は、材料効率のよい耐圧性の任意のボトル底部を実現する。
【００１１】
本明細書において説明されるように、ストラップ底部リブを、陥凹コラムがボトルの側壁に形成される構成の底部に取り入れることにより耐圧性を、内圧を受けるボトルに、内圧を受けない（すなわち、ユーザがボトルの蓋を開けることにより圧力が解放される）場合の強度及び性能（すなわち、曲げ、及び傾倒に対する耐性）を保ちながら付与することができる。ストラップ底部リブは、陥凹コラムがボトルの側壁に形成された状態で機能して、ストラップをボトルの周りに形成することにより、応力をボトルの高さに沿って伝達することができる。
【００１２】
底部にストラップ底部リブを設けることにより、内圧を受けるボトルに形成される陥凹コラムの強度及び性能を保持し易くする。ストラップ底部リブを設ける場合、曲げ、傾倒、及び／又は延伸に、剛性及びフープ強度を保持しながら耐える耐性は、圧力を受けない状態では保持されるとともに、ボトルが加圧されるときのこれらの特性を高めることができる。例えば、ストラップ底部リブは、平坦脚底部の利用を可能にして、工場での処理中（すなわち、飲料内容物を充填する）の底部強度をより高めることができるとともに、加圧中の底部の広がり、又は突然の広がりを防止することができる。ボトル底部が広がると、所謂、“底部が揺れ動き易くなる”現象が生じる。底部の広がりを防止することにより、ボトルは水平姿勢を表面に載置されるときに保ち易くなり、平坦脚部を、表面上の接触部位として保持することができる。更に、底部の広がりは、加圧されていない状態でも、又は例えば出荷中、及び取り扱い中、又は高速で充填しているときのようなボトルが低圧で加圧されている状態でも起こり得る。ストラップ底部リブはまた、底部の広がりを、内部が加圧されない状態、又は低圧で加圧されている状態で防止し易くする。本明細書では、変形を、外圧及び／又は内圧、及び／又は外力及び／又は内力を受けている状態で防止する、又は阻止することについて説明しているが、ボトルのある程度の変形は、本開示の範囲から逸脱しない範囲で、起こり得ることを理解されたい。外圧及び／又は内圧、及び／又は外力及び／又は内力を受けている状態のボトルのある程度の変形は、本明細書において開示される特徴及び機能の極めて優れた構造的特性を保持しながら起こり得る。
【００１３】
本明細書において開示される種々実施形態は、広範囲のボトル圧力に関して利用することができる。ストラップ底部リブは、最大２．５、最大２、最大１．５、最大１、最大０．５バール（ｂａｒｓ）、及び最大０．３バールを含む、ボトル内の最大３バールの加圧圧力に耐え易くすることができ、これらの値は、区分範囲の値を含み、且つこれまでに列挙した値を含む。プリフォーム構造も、圧力に耐えて、既に明示された圧力よりもずっと高い圧力に、プリフォームから得られるストラップの厚さをより厚くして耐えることができるという役割を果たす。帯状構造は、ボトル内の圧力に耐えるより効率的な手段となり、この手段はまた、圧力を受けない状態で良好に機能する。
【００１４】
本明細書において開示される種々実施形態は、広範囲のボトル容積に利用することができる。例えば、本明細書において開示される特徴及び機能は、数ガロン（１ガロン＝約４リットル）のボトルを最大として、３オンスのボトルに利用することができる。別の例として、本明細書において開示される特徴及び機能は、１２オンス（０．３５リットル）〜２リットル、１６オンス（０．４７リットル）〜１リットル、１８オンス（０．５３リットル）〜０．７５リットル、及び０．５リットルを含む最大３リットルのボトルを最大とする８オンス（０．２４リットル／０．１５リットル）のボトルに利用することができ、これらの値は、区分範囲の値を含み、且つこれまでに列挙した値を含む。
【００１５】
幾つかの実施形態では、容器は、ストラップリブ群を有する平坦脚底部と、陥凹コラム群を有する側壁と、を備え、ストラップリブ群及び陥凹コラム群が、垂直方向に揃えられて底部及び側壁の変形に耐えることができる、容器は、以下の構成部材のうちの１つ以上の構成部材を備えることができる、すなわち容器は：ゲートと、壁と、平坦脚部とを備える平坦脚底部であって、ゲートが、容器の中心軸線を中心に配置され、壁が、ゲートから容器の座面に向かって延在し、平坦脚部が、壁から座面まで延在する、平坦脚底部；底部に接続される側壁であって、側壁が、中心軸線にほぼ沿って延在して、容器の内部の少なくとも一部を画定する、側壁；側壁に接続され、且つ上方半径方向内側に延びて、釣鐘状部に接続される終端部に至る、釣鐘状部；平坦脚部と平坦脚部との間の底部に配置される複数のストラップリブであって、ストラップリブ群が、ゲート又は壁から半径方向外側に、側壁に向かって延在し、ストラップリブ群が、座面に対して上方斜めに、側壁に向かってゲート又は壁から延在することにより、底部の変形に耐えることができる、複数のストラップリブ；側壁に配置される複数の陥凹コラムであって、陥凹コラム群が、側壁の外周面に沿って延在し、且つ中心軸線を中心に配置され、側壁のうちの側壁リブと側壁リブとの間の部分が、側壁の外周面に沿って略連続し、陥凹コラム群が、側壁に沿った曲げ、傾倒、潰れ、又は延伸のうちの少なくとも１つに耐えるように構成される、複数の陥凹コラム、のうちの１つ以上を備えることができ；且つ／又はストラップリブ群及び陥凹コラム群は、中心軸線に沿って垂直方向に揃えられて、耐圧性バンドを形成することにより、各耐圧性バンドが、陥凹コラムと中心軸線に沿って垂直方向に揃えられるストラップリブを備えるようになり、耐圧性バンド群は、容器に加わる力を、底部と側壁との間の容器に沿って垂直方向に伝達することにより、底部と側壁の変形に継続的に耐えるように構成される。
【００１６】
幾つかの実施形態では、ストラップリブ群は、底部の壁から半径方向外側に延在し；ストラップリブ群は、底部のゲートから半径方向外側に延在し；底部の壁は、ゲートから容器の座面に向かって、座面に接触することなく延在するドームを備え、ドームは、ゲートを中心軸線の周りで取り囲み；ストラップリブ群のうちの少なくとも１つのストラップリブは、底部のドームから半径方向外側に延在し；底部は更に、ストラップリブとストラップリブとの間に配置される複数の荷重用リブを備え、荷重用リブ群は、容器の内部に向かう深さであって、ストラップリブ群の深さよりも浅い深さを有し、荷重用リブ群は、外力が容器に加わるときの底部の変形に耐えるように構成され；側壁は、容器及び他の容器が、垂直な容器群の中心軸線を揃えて一括して梱包されるときに、側壁の外周面に沿った他の容器との容器の接触部位に配置される底部リブを備え、底部リブは、容器の中心軸線を中心に配置され；側壁は、容器及び他の容器が、垂直な容器群の中心軸線を揃えて一括して梱包されるときに、側壁の外周面に沿った他の容器との容器の接触部位に配置される底部リブを備え、底部リブは、容器の中心軸線を中心に配置され；ストラップリブ群は、底部リブを通過して、陥凹コラム群まで略上方に延在することにより、耐圧性バンドが、底部リブを通過する連続体となり、ストラップリブ群は、底部リブ内では不連続体を形成し；側壁リブ群は、側壁の外周面に沿って配置される種々の深さの複数のリブを備え、種々の深さの各リブは、浅リブセクション群及び深リブセクション群を備え、浅リブセクション群は、深リブセクション群のリブ深さよりも浅いリブ深さを有し、種々の深さの複数のリブの浅リブセクション群は、中心軸線に沿って垂直方向に揃えられることにより、陥凹コラム群を形成し；浅リブセクション群は、側壁の外周面から略ゼロのリブ深さを有し；側壁は、側壁の外周面の周りで略円形をなし、複数の陥凹コラムは、円形側壁の外周面の周りの側壁に等距離で離間して配置される３列の陥凹コラムを備え；側壁は、把持部と、ラベル部分と、を備え、３列の陥凹コラムは、把持部に配置され、複数の陥凹コラムは更に、円形側壁の外周面の周りのラベル部分に等距離で離間して配置される６列の陥凹コラムを備え、ラベル部分の６列の陥凹コラムは、容器の三角形状化を阻止するように構成され、ラベル部分の６列の陥凹コラムのうちの３列の陥凹コラム、及び把持部の３列の陥凹コラムは、中心軸線に沿って垂直方向に揃えられ；複数のストラップリブは、互いに等距離で離間して底部に配置される３個のストラップリブを備え、３個のストラップリブ及び３列の陥凹コラムは、中心軸線に沿って垂直方向に揃えられ；複数のストラップリブは、互いに等距離で離間して底部に配置される６個のストラップリブを備え、６個のストラップリブのうちの３個のストラップリブ、及び３列の陥凹コラムは、中心軸線に沿って垂直方向に揃えられ、６個のストラップリブは、容器の三角形状化を阻止するように構成され；側壁は、側壁の外周面の周りで略方形をなし、複数の陥凹コラムは、方形側壁の外周面の周りの側壁に等距離で離間して配置される４列の陥凹コラムを備えて、各耐圧性バンドが更に、半径方向に１８０度の角度の方向にストラップリブの反対側で延在する他方のストラップリブを備えるようになり、他方のストラップリブは、他方の陥凹コラムと中心軸線に沿って垂直方向に揃えられ；方形側壁は、コーナー群と、コーナー群の間の平坦部分と、を備え、ストラップリブ群は、方形側壁の平坦部分に向かって延在し、ストラップリブ群は、方形側壁が平坦部分の位置で丸みを帯びるのを抑制するように構成され；且つ／又は側壁リブ群は、側壁の外周面に沿って配置される種々の深さの複数のリブを備え、種々の深さの各リブは、浅リブセクション群及び深リブセクション群を備え、浅リブセクション群は、深リブセクション群のリブ深さよりも浅いリブ深さを有し、種々の深さの複数のリブの浅リブセクション群は、中心軸線に沿って垂直方向に揃えられることにより、陥凹コラム群を形成し、深リブセクション群は、方形側壁の４つのコーナーに配置され、深リブセクション群は、方形側壁が平坦部分の位置で丸みを帯びるのを抑制するように構成される。
【００１７】
幾つかの実施形態では、容器は、ストラップリブ群を有する平坦脚底部と、陥凹コラム群を有する側壁と、を備え、ストラップリブ群及び陥凹コラム群は、垂直方向に揃えられて底部及び側壁の変形に耐えることができ、容器は、以下の構成部材のうちの１つ以上の構成部材を備えることができ、すなわち容器は：ゲートと、ドームと、平坦脚部と、を備える平坦脚底部であって、ゲートが、容器の中心軸線を中心に配置され、ドームが、ゲートから容器の座面に向かって、座面に接触することなく延在し、ドームが、ゲートを中心軸線の周りで取り囲み、平坦脚部が、ドームから座面まで延在する、平坦脚底部；底部に接続される側壁であって、側壁が、中心軸線にほぼ沿って延在して、容器の内部の少なくとも一部を画定する、側壁；側壁に接続され、且つ上方半径方向内側に延びて、釣鐘状部に接続される終端部に至る釣鐘状部；平坦脚部と平坦脚部との間の底部に配置される複数のストラップリブであって、ストラップリブ群が、ゲート又はドームから半径方向外側に、側壁に向かって延在し、ストラップリブが、座面に対して上方に、側壁に向かってゲート又はドームから延在することにより、底部の変形に耐えることができる、複数のストラップリブ；側壁に配置される複数の陥凹コラムであって、陥凹コラム群が、側壁の外周面に沿って延在し、且つ中心軸線を中心に配置され、側壁のうちの側壁リブと側壁リブとの間の部分が、側壁の外周面に沿って略連続し、陥凹コラム群が、側壁に沿った曲げ、傾倒、潰れ、又は延伸のうちの少なくとも１つに耐えるように構成される、複数の陥凹コラム、のうちの１つ以上を備えることができ；且つ／又はストラップリブ群及び陥凹コラム群は、中心軸線に沿って垂直方向に揃えられて、耐圧性バンドを形成することにより、各耐圧性バンドが、陥凹コラムと中心軸線に沿って垂直方向に揃えられるストラップリブを備えるようになり、耐圧性バンド群は、容器に加わる力を、底部と側壁との間の容器に沿って垂直方向に伝達することにより、底部及び側壁の変形に継続的に耐えるように構成される。
【００１８】
幾つかの実施形態では、ストラップリブ群は、底部のゲートから半径方向外側に延在し；ストラップリブ群は、底部のドームから半径方向外側に延在し；底部は更に、ストラップリブとストラップリブとの間に配置される複数の荷重用リブを備え、荷重用リブ群は、容器の内部に向かう深さであって、ストラップリブ群の深さよりも浅い深さを有し、荷重用リブ群は、外力が容器に加わるときの底部の変形に耐えるように構成され；荷重用リブ群は、ゲート又はドームから半径方向外側に延在し；側壁は、容器及び他の容器が、垂直な容器群の中心軸線を揃えて一括して梱包されるときに、側壁の外周面に沿った他の容器との容器の接触部位に配置される底部リブを備え、底部リブは、中心軸線を中心に配置され、ストラップリブ群は、側壁の底部リブまで略上方に延在し、底部リブは、側壁の外周面に沿って連続的に延在することにより、接触部位における容器の変形に耐えることができ；側壁リブ群は、側壁の外周面に沿って配置される種々の深さの複数のリブを備え、種々の深さの各リブは、浅リブセクション群及び深リブセクション群を備え、浅リブセクション群は、深リブセクション群のリブ深さよりも浅いリブ深さを有し、種々の深さの複数のリブの浅リブセクション群は、中心軸線に沿って垂直方向に揃えられることにより、陥凹コラム群を形成し；浅リブセクション群は、側壁の外周面から略ゼロのリブ深さを有し；側壁は、側壁の外周面の周りで略円形をなし、複数の陥凹コラムは、円形側壁の外周面の周りの側壁に配置される３列の陥凹コラムを備え；複数のストラップリブは、互いに等距離で離間して底部に配置される３個のストラップリブを備え、３個のストラップリブ及び３列の陥凹コラムは、中心軸線に沿って垂直方向に揃えられ；複数のストラップリブは、互いに等距離で離間して底部に配置される６個のストラップリブを備え、６個のストラップリブのうちの３個のストラップリブは、３列の陥凹コラムと、中心軸線に沿って垂直方向に揃えられて、各耐圧性バンドが更に、半径方向に１８０度の角度の方向にストラップリブの反対側で延在する他方のストラップリブを備えるようになり、６個のストラップリブは、容器の三角形状化を阻止するように構成され；側壁は、側壁の外周面の周りで略方形をなし、複数の陥凹コラムは、方形側壁の外周面の周りの側壁に等距離で離間して配置されて、各耐圧性バンドが更に、半径方向に１８０度の角度の方向にストラップリブの反対側で延在する別のストラップリブを備えるようになり、他方のストラップリブは、他方の陥凹コラムと中心軸線に沿って垂直方向に揃えられ；方形側壁は、コーナー群と、コーナー群の間の平坦部分と、を備え、ストラップリブ群は、方形側壁の平坦部分に向かって延在し、ストラップリブ群は、平坦部分の位置で方形側壁が丸みを帯びるのを抑制するように構成され；且つ／又は側壁リブ群は、側壁の外周面に沿って配置される種々の深さの複数のリブを備え、種々の深さの各リブは、浅リブセクション群及び深リブセクション群を備え、浅リブセクション群は、深リブセクション群のリブ深さよりも浅いリブ深さを有し、種々の深さの複数のリブの浅リブセクション群は、中心軸線に沿って垂直方向に揃えられることにより、陥凹コラム群を形成し、深リブセクション群は、方形側壁の４つのコーナーに配置され、深リブセクション群は、方形側壁が平坦部分の位置で丸みを帯びるのを抑制するように構成される。
【００１９】
幾つかの実施形態では、容器は底部を備える。容器は更に、底部に、一定深さの底部リブを介して接続され、且つ中心軸線に略直角な把持部外周面を画定する把持部を備えることができる。容器は更に、把持部に接続され、且つ中心軸線に略直角なラベル部分外周面を画定するラベルパネル部分を備えることができる。容器は更に、中心軸線を基準として釣鐘状部の壁までを測定する場合に少なくとも１２０度の鈍角となる形状を有する釣鐘状部を備えることができ、釣鐘状部は、ラベルパネル部分に肩部を介して接続され、且つ上方に、半径方向内側に延びて、釣鐘状部に接続される終端部に至り、終端部は、蓋を受け入れるように適合させる。容器は更に、ほぼ把持部の外周面に沿って角張って配置される種々の深さの複数のリブを備えることができ、種々の深さの角張った各リブは、複数の浅リブセクションと、複数の中間リブセクションと、複数の深リブセクションと、を備える。容器は更に、ほぼラベル部分の外周面に沿って配置される一定深さの複数のリブを備えることができる。浅リブセクション群は、中間リブセクション群のリブ深さよりも浅いリブ深さを有することができる。深リブセクション群は、中間リブセクション群のリブ深さよりも深いリブ深さを有することができる。種々の深さのリブ群の浅リブセクション群は、中心軸線に沿って垂直方向に揃えられて陥凹コラム群を形成することができる。これらの陥凹コラムは、曲げ、傾倒、又は潰れ、又は延伸のうちの少なくとも１つに耐えるように構成することができる。複数の深リブセクションは、フープ強度を確保するように構成することができる。
【００２０】
幾つかの実施形態では、容器は底部を備える。容器は更に、底部に、一定深さの底部リブを介して接続され、且つ中心軸線に略直角な把持部外周面を画定する把持部を備えることができる。容器は更に、把持部に接続され、且つ中心軸線に略直角なラベル部分外周面を画定するラベルパネル部分を備えることができる。容器は更に、中心軸線を基準として釣鐘状部の壁までを測定する場合に少なくとも１２０度の鈍角となる形状を有する釣鐘状部を備えることができ、釣鐘状部は、ラベルパネル部分に肩部を介して接続され、且つ上方に、半径方向内側に延びて、釣鐘状部に接続される終端部に至り、終端部は、蓋を受け入れるように適合させる。容器は更に、ほぼ把持部の外周面に沿って角張って配置される種々の深さの複数のリブを備えることができ、種々の深さの角張った各リブは、複数の浅リブセクションと、複数の中間リブセクションと、複数の深リブセクションと、を備える。容器は更に、ほぼラベル部分の外周面に沿って配置される種々の深さの複数のリブを備えることができ、種々の深さの各リブは、複数の浅リブセクションと、複数の中間リブセクションと、複数の深リブセクションと、を備える。種々の深さの角張ったリブ群の浅リブセクション群は、種々の深さの角張ったリブ群の中間リブセクション群のリブ深さよりも浅いリブ深さを有することができる。種々の深さの角張ったリブ群の深リブセクション群は、種々の深さの角張ったリブ群の中間リブセクション群のリブ深さよりも深いリブ深さを有することができる。種々の深さのリブ群の浅リブセクション群は、種々の深さのリブ群の中間リブセクション群のリブ深さよりも浅いリブ深さを有することができる。種々の深さのリブ群の深リブセクション群は、種々の深さのリブ群の中間リブセクション群のリブ深さよりも深いリブ深さを有することができる。種々の深さの角張ったリブ群の浅リブセクション群は、中心軸線に沿って略垂直方向に揃えられて第１の複数の陥凹コラムを形成することができる。種々の深さの角張ったリブ群の浅リブセクション群は、中心軸線に沿って略垂直方向に揃えられて第２の複数の陥凹コラムを形成することができる。第１及び第２の複数の陥凹コラムは、曲げ、傾倒、潰れ、又は延伸のうちの少なくとも１つに耐えるように構成することができる。複数の深リブセクションは、フープ強度を確保するように構成することができる。
【００２１】
幾つかの実施形態では、第１の複数の陥凹コラムは、第２の複数の陥凹コラムと中心軸線に沿って略垂直方向に揃えられる。幾つかの実施形態では、ラベル部分の種々の深さのリブ群は角張っている。
【００２２】
幾つかの実施形態では、容器は底部を備える。容器は更に、底部に接続される側壁を備えることができ、側壁は側壁外周面を画定し、側壁外周面は、中心軸線と略直角であり、且つほぼ中心軸線に沿って延在して、容器の内部の少なくとも一部を画定する。容器は更に、側壁に接続され、且つ上方に、半径方向内側に延びて、釣鐘状部に接続される終端部に至る釣鐘状部を備えることができ、終端部は、蓋を受け入れるように適合させる。容器は更に、ほぼ側壁外周面に沿って配置される種々の深さのリブを備えることができ、種々の深さのリブは、浅リブセクションと、中間リブセクションと、深リブセクションと、を備える。浅リブセクションは、中間リブセクションのリブ深さよりも浅いリブ深さを有することができる。深リブセクションは、中間リブセクションのリブ深さよりも深いリブ深さを有することができる。リブの浅リブセクションは、曲げ、傾倒、又は潰れ、又は延伸のうちの少なくとも１つに耐えるように構成することができる。深リブセクションは、フープ強度を確保するように構成することができる。
【００２３】
幾つかの実施形態では、種々の深さのリブは、浅リブセクションから中間リブセクションに、深リブセクションに、漸進的移行部又は急峻な移行部のうちの少なくとも一方の移行部として移行する。幾つかの実施形態では、種々の深さのリブは、台形、三角形、円形、方形、楕円形、又は半球形のうちの少なくとも１つの形状を有する。幾つかの実施形態では、種々の深さのリブは、側壁外周面の周りで角張っている。幾つかの実施形態では、種々の深さのリブは、複数の浅リブセクションと、複数の中間リブセクションと、複数の深リブセクションと、を備える。幾つかの実施形態では、容器は更に、種々の深さの複数のリブを備え、少なくとも２つの浅リブセクションは、中心軸線に沿って略垂直方向に揃えられて陥凹コラムを形成することにより、陥凹コラムが、曲げ、傾倒、又は潰れ、又は延伸のうちの少なくとも１つに耐えるように構成される。幾つかの実施形態では、種々の深さの複数のリブは、複数の浅リブセクションと、複数の中間リブセクションと、複数の深リブセクションと、を備える。幾つかの実施形態では、容器は更に、一定の深さのリブを備える。幾つかの実施形態では、釣鐘状部は、中心軸線を基準として釣鐘状部の壁までを測定する場合に少なくとも１２０度の鈍角を有する。
【００２４】
例示的な実施形態では、底部と、釣鐘状部と、底部と釣鐘状部との間の側壁と、容器の内部に通じる開口部を画定するネック部及び終端部と、側壁と釣鐘状部との間の肩部と、を備える容器は、側壁の把持部であって、把持部が、外周面に配置される複数の把持部リブを備える、把持部と；側壁のラベル部分であって、ラベル部分が、外周面に配置される複数のラベル部分リブを備える、ラベル部分と；複数のストラップリブであって、ストラップリブ群の各ストラップリブが、底部の略中心部から延在して、把持部の側壁端で終端し、ストラップリブ群が、側壁の陥凹コラム群と連携して、側壁及び底部に沿った曲げ、傾倒、潰れ、又は延伸のうちの少なくとも１つに耐える、複数のストラップリブと；隣接するストラップリブとストラップリブとの間に等間隔で離間して配置される複数の荷重用リブであって、荷重用リブ群が、底部の変形に耐えるように構成される、複数の荷重用リブと；ストラップリブ群と荷重用リブ群との間に形成される複数の脚部であって、複数の脚部が、容器の座面を含む、複数の脚部と、を備える。
【００２５】
例示的な別の実施形態では、複数のストラップリブは３個のストラップリブを備え、ストラップリブ群は、底部の周面の周りに等間隔で離間して配置される。例示的な別の実施形態では、複数の荷重用リブは、６個の荷重用リブを備え、荷重用リブ群のうちの２個の荷重用リブは、ストラップリブ群のうちの２個のストラップリブの間に等間隔で離間して配置される。例示的な別の実施形態では、荷重用リブ群の各荷重用リブは、容器の側壁の略近傍の底部に沿って終端する側壁端を備える。例示的な別の実施形態では、荷重用リブ群の側壁端の各側壁端は、ストラップリブ群の側壁端よりも中心軸線に沿って垂直方向に低い。例示的な別の実施形態では、荷重用リブ群の側壁端は、容器の側壁に沿って、ストラップリブ群の側壁端の高さに等しい中心軸線に沿った高さの位置で終端する。
【００２６】
例示的な別の実施形態では、底部は更に、底部の周面の周りに延在する底部リブを備えることにより、底部リブが底部を側壁の把持部に接続するようになる。例示的な別の実施形態では、ストラップリブ群の各ストラップリブは、底部リブを超えて容器の側壁に入り込んで延在することにより、底部リブを複数の分割リブに分断する。例示的な別の実施形態では、複数のストラップリブは、底部リブを１２０度の角度に相当する分割リブに分断する３個のストラップリブを備える。
【００２７】
例示的な別の実施形態では、底部は更に、容器の中心軸線を中心に配置されるゲートと、ゲートから容器の座面に向かって延在する壁と、ゲートの直ぐ傍を取り囲むドームと、を備え、ドームは、底部の壁のうちの、容器の座面に向かってより急峻に傾斜する部分である。例示的な別の実施形態では、ストラップリブ群の各ストラップリブは、ドーム内で、且つゲートの周辺の近傍で終端する底部端を有する。例示的な別の実施形態では、底部端は、ドームの周辺でほぼ終端する。例示的な別の実施形態では、底部端は、ドーム領域の外部に配置される。
【００２８】
例示的な別の実施形態では、ストラップリブ群の各ストラップリブは更に、ストラップリブを底部の一部、及び脚部の一部に接続する２つのリブ側壁を備える。例示的な別の実施形態では、リブ側壁群の各リブ側壁は、底部及び脚部になだらかに徐々に移行して、移行部が容器の球面形状部を構成するようになる。
【００２９】
例示的な別の実施形態では、ストラップリブ群は、底部に食い込む深さを有し、深さは、底部に食い込む荷重用リブ群の深さよりも深い。例示的な別の実施形態では、ストラップリブ群の各ストラップリブは、底部端を起点として、容器の座面に略平行に延出し、次に第１半径を有する上方湾曲経路に沿って、漸増する正の傾斜で延在し、第１高さの位置では、ストラップリブの湾曲経路の第１半径部が、直線部分に入り込んで延在する手前で、第２半径部に、漸増する正の傾斜で変化し、第２高さの位置では、直線部分がストラップリブの側壁端に接続される。例示的な別の実施形態では、第１半径部及び第２半径部は一体となって、ストラップリブ及び底部に、なだらかに徐々に変化する球面形状を付与することにより、容器が内圧をより良好に吸収するようになる。例示的な別の実施形態では、球面形状は、球面形状以外の形状を有する容器が吸収することができる内圧の少なくとも２倍の内圧を吸収する。
【００３０】
例示的な別の実施形態では、第１半径は、２０〜８５ミリメートルの範囲の値を有し、第２半径は、０〜３０ミリメートルの範囲の値を有し、容器の直径は、３０〜２００ミリメートルの範囲の値を有する。例示的な別の実施形態では、第１半径は約４５ミリメートルであり、第２半径は約１０ミリメートルであり、容器の直径は約６６ミリメートルである。例示的な別の実施形態では、第１高さは、５〜３５ミリメートルの範囲の値を有し、第２高さは、１０〜６０ミリメートルの範囲の値を有し、容器は、６５〜３００ミリメートルの範囲の合計高さを有する。例示的な別の実施形態では、第１高さは約１４．９ミリメートルであり、第２高さは約２６．５ミリメートルであり、容器は、約１９６〜１９７ミリメートルの範囲の合計高さを有する。例示的な別の実施形態では、ストラップリブは更に、第１半径部と第２半径部との間の湾曲経路に沿って配置される第１移行湾曲部、及び／又は第２半径部と直線部分との間の湾曲経路に配置される第２移行湾曲部を備えることにより、ストラップリブ及び底部が略球面の断面形状を有するようになる。
【００３１】
これまでの説明は、要約であるので、必要に応じて、簡易化、一般化、及び詳細の省略を含んでおり；従って、この技術分野の当業者であれば、要約は、例示のためにのみ提示され、決して限定的に解釈されてはならないことを理解できるであろう。本明細書において説明されるデバイス、及び／又はプロセス、及び／又は他の主題の他の態様、特徴、及び利点は、本明細書において説明される教示から明らかになる。要約は、以下の詳細な説明に詳細に記載されるコンセプトを選択して簡易な形で紹介するために提供される。本要約は、本明細書において説明される全ての主題の重要な特徴、又は基本的な特徴を特定するために用いられるのではない。
【００３２】
本開示についてこれまでに説明した特徴、及び他の特徴は、以下の説明を、添付の図面を参照することにより更に完全に理解することができる。これらの図面は、本開示による幾つかの実施形態のみを図示しているので、本開示の範囲を限定するものであると考えられてはならないことを理解した上で、本開示を、特異性及び詳細を追加して、且つ添付の図面を使用して説明する。
【図面の簡単な説明】
【００３３】
【図１】ボトルの１つの実施形態の側面図を示している。
【図２】図１に示す実施形態を６０度回転させた状態の側面図を示している。
【図３】６個のストラップリブを有する底部の１つの実施形態の斜視図を示している。
【図４】ストラップリブの１つの実施形態の上部斜視図を示している。
【図５】ボトルの別の実施形態の側面図を示している。
【図５Ａ】ボトルの別の実施形態の側面図を示している。
【図６】６列の陥凹コラムをラベル部分に有するボトルの１つの実施形態の側面図を示している。
【図６Ａ】陥凹コラムをラベル部分に有するボトルの別の実施形態の側面図を示している。
【図７】ストラップリブの別の実施形態の上部斜視図を示している。
【図７Ａ】ストラップリブの１つの実施形態の上部斜視図を示している。
【図８Ａ】陥凹コラムを側壁に有するボトルの実施形態の底部斜視図を示している。
【図８Ｂ】陥凹コラムを側壁に有するボトルの実施形態の底部斜視図を示している。
【図９】底部の１つの実施形態の底部斜視図を示している。
【図１０】底部の別の実施形態の底部斜視図を示している。
【図１１】底部の別の実施形態の底部斜視図を示している。
【図１１Ａ】底部の別の実施形態の底部斜視図を示している。
【図１２】底部の１つの実施形態の底面図を示している。
【図１３】底部の別の実施形態の底面図を示している。
【図１４】底部の別の実施形態の底面図を示している。
【図１５】底部の別の実施形態の底面図を示している。
【図１６Ａ】ボトルの１つの実施形態の中心軸線に沿った断面を示している。
【図１６Ｂ】ボトルの断面を示す１つの実施形態を示している。
【図１６Ｃ】ボトルの断面を示す１つの実施形態を示している。
【図１７】ボトルの別の実施形態の中心軸線に沿った断面を示している。
【図１８】底部の１つの実施形態の中心軸線に沿った断面を示している。
【図１９】底部の別の実施形態の中心軸線に沿った断面を示している。
【図１９Ａ】底部の１つの実施形態の中心軸線に沿った断面を示している。
【図２０】底部の実施形態の中心軸線に沿った重ね合わせ断面を示している。
【図２１】ボトルの１つの実施形態の上部斜視図を示している。
【図２２】ボトルの別の実施形態の側面図を示している。
【図２３】底部の別の実施形態の底部斜視図を示している。
【図２４】底部の別の実施形態の底面図を示している。
【図２５】ボトルの別の実施形態の中心軸線に沿った断面を示している。
【図２６】ボトルの耐押潰性の増加を示す表及びグラフである。
【図２７】釣鐘状部の角度を示す１つの実施形態を示している。
【図２８】ボトルのプリフォームを示している。
【発明を実施するための形態】
【００３４】
本発明には、種々の変更及び別の構成を施すことができるが、本発明の特定の実施形態が、一例としてこれらの図面に図示されており、本明細書において詳細に説明されることになる。本発明は、開示される特定の構成に限定されるものではないと理解されるべきであり、それどころか、全ての変更物、等価物、及び代替物を本発明の思想及び範囲に属するものとして含むものである。
【００３５】
以下の詳細な説明では、詳細な説明の一部を構成する添付の図面を参照することとする。これらの図面では、同様の記号は通常、文脈上からそうでないことが記載されていない限り、同様の構成要素を指す。詳細な説明及び図面において記載される例示的な実施形態は、限定的であるとして解釈されてはならない。他の実施形態を利用することができ、且つ他の変更を、本明細書において提示される主題の思想又は範囲から逸脱しない限り行なうことができる。本明細書において概略説明され、且つこれらの図に例示される本開示の種々の態様は、多種多様な異なる構成に配置され、置き換えられ、組み合わされ、そして設計され、これらの構成の全ては、明示的に考慮され、且つ本開示の一部とされる。
【００３６】
具体的には、本明細書において開示されるのは、プリフォーム及び容器を含む製品であり、これらの製品は、これらの製品を形成する際に、現在の市販の構造に関連する処理の容易さ、及び極めて優れた構造的特性を維持しながら、又はこれらの特性を凌駕しながらより少ない量のプラスチックを利用する。
【００３７】
図１は、ボトル１の１つの実施形態の側面図を示している。ボトル１は、底部リブ２２にまで上方に延びる底部２４ａを有する。底部２４ａに接続されて、把持部８は、複数の把持部リブ３ａ（すなわち、側壁リブ群）を備える。図１に示すように、把持部リブ群３ａ（把持部８に配置される）は、以下に更に詳細に説明されるように、リブが深リブ２ａから離れて平坦及び／又は浅リブ６ａになることにより、又は深リブ２ａから平坦及び／又は浅リブ６ａに移行することにより、深さを変えることができる。図示の実施形態では、把持部リブ群３ａは、把持部８の周囲をぐるっと回り、又は角張っている。
【００３８】
図１を参照するに、ラベル部分１０は、把持部８に接続され、且つ１つ以上のラベルパネルリブ２０ａ（すなわち、側壁リブ群）を備える。ラベルパネル部分１０は、釣鐘状部１６に接続される肩部１８に移行する。釣鐘状部１６は、貝殻形状部（図示の形状部を含む）又は他のデザイン形状部を含むことができる、又は釣鐘状部１６は、なだらかであり、且つ全体的に装飾が施されていない。釣鐘状部１６は、終端部１２に接続されるネック部１４に接続される。ラベル部分１０から、釣鐘状部１６は上方に、且つ中心軸線２５に対して半径方向内側に延びて、ネック部１４及び終端部１２に至る。終端部１２は、蓋を受け入れて、内容物をボトル１に密封状態で収容するように適合させることができる。終端部１２は開口部１１を画定し、開口部１１は、ボトル１の内部にまで延びて、飲料及び／又は他の内容物を収容する。内部は、終端部１２、ネック部１４、釣鐘状部１６、肩部１８、ラベル部分１０、把持部８、又は底部２４ａのうちの少なくとも１つとして画定することができる。
【００３９】
把持部８及びラベル部分１０を底部２４ａと釣鐘状部１６との間に備え、且つほぼ中心軸線２５に沿って延びて、ボトル１の内部の少なくとも一部を画定する略垂直壁は、ボトル１の側壁であると考えることができる。幾つかの実施形態では、側壁は、釣鐘状部１６、肩部１８、及び／又は底部２４ａを含むことができる。側壁の外周面（すなわち、周面）は、内部の中心軸線２５に略直角になっている。側壁は、ボトル１の内部の少なくとも一部を画定する。終端部１２、ネック部１４、釣鐘状部１６、肩部１８、ラベル部分１０、把持部８、及び底部２４ａはそれぞれ、部分に対応する該当する外周面又は円周面（すなわち、周面）（中心軸線２５に略直角になっている）を画定することができる。例えば、ラベル部分１０は、ラベル部分の外周面を有する。別の例として、把持部８は把持部の外周面を有する。
【００４０】
図１に図示される実施形態では、把持部リブ群３ａの各リブは、深リブ部２ａを備え、この深リブ部２ａは、中間リブ部４ａに移行し、次に平坦及び／又は浅リブ部６ａに移行する。図１が示すように、ラベルパネルリブ群２０ａの各ラベルパネルリブは、深リブ部２ｂを備え、この深リブ部２ｂは、中間リブ部４ｂに移行し、次に平坦及び／又は浅リブ部６ｂに移行する。深いリブ部、中間リブ部、及び浅リブ部は、ｄｅｅｐ  ｒｉｂ（深リブ）、ｍｉｄｄｌｅ  ｒｉｂ（中間リブ）、ｓｈａｌｌｏｗ  ｒｉｂ（浅リブ）と略記することもできるが、これらの用語は、これらのリブ部を把持部８、ラベル部分１０、及び底部リブ２２に画定するために用いられることを理解されたい。把持部の種々の深さのリブ３ａは、深リブ部２ａから中間リブ／部４ａに移行し、次に平坦及び／又は浅リブ部６ａに移行する。ラベルパネルの種々の深さのリブ２０ａは、深リブ２ｂから中間リブ／部４ｂに移行し、次に平坦及び／又は浅リブ６ｂに移行する。１つ以上の平坦及び／又は浅リブ６ａ、６ｂは、等価の陥凹コラム群７ａを、複数の平坦及び／又は浅リブ６ａ、６ｂが、図１に示すように、ボトル１の垂直軸線又は中心軸線２５に沿って略垂直方向に揃えられる箇所に形成する。複数の深リブ２ａ、２ｂは、図１に示すように、ボトル１の垂直軸線又は中心軸線２５に沿って略垂直方向に揃えられている。
【００４１】
幾つかの実施形態では、ラベルパネルリブ群２０ａの平坦及び／又は浅リブ６ｂは、把持部リブ群３ａの平坦及び／又は浅リブ６ａ、６ｂと垂直方向に揃えないことにより、ラベル部分１０が一組の陥凹コラムを有し、且つ把持部８が別の組の陥凹コラムを有するようになる。このように、ラベル部分１０の陥凹コラムは、把持部８の陥凹コラム群と垂直方向に揃えないようにすることができる。幾つかの実施形態では、ボトル１は、陥凹コラム群を把持部８にのみ、又はラベルパネル部分１０にのみ有することができる。
【００４２】
平坦及び／又は浅リブ６ａ、６ｂが３列に揃えられる構成の図示の実施形態では、ボトルは、それに対応して、３列の陥凹コラム７ａを有する。３列の陥凹コラム７ａは、ボトル１の円周面の周りに等間隔で離間して配置することができ、且つ深リブ部２ａ、２ｂとはボトル円周面の反対側に位置している。３列の陥凹コラム７ａが等間隔で離間して配置される場合、これらの陥凹コラム７ａは、ボトル１の円周面の周りに１２０度ごとに離間して配置される。任意の列数の陥凹コラム７ａは、ボトル１のデザインに、垂直軸線又は中心軸線２５に沿って略垂直方向に揃えられる平坦及び／又は浅リブ６ａ、６ｂの列数を増やすか、又は減らすことにより取り入れることができる。例えば、ボトルは、わずか１列の陥凹コラム７ａしか持たないようにすることができるか、又は２、３、４、５、６、７、８、又は９列の陥凹コラム７ａを含む最大１０列の陥凹コラム７ａを有することができ、これらの値は、区分範囲の値を含み、且つこれまでに挙げた値を含む。陥凹コラム群７ａを形成する平坦及び／又は浅リブ６ａ、６ｂからなる集合体は、傾倒、押潰れ、及び／又は延伸に耐える耐性を確保する。傾倒は、ボトルを梱包している間に、且つ／又はボトルを梱包した後に、ボトルが、押潰し力（接線方向力又は他の力）を、ボトルの上に積み重なる他のボトル及び／又は他の物体から受けるときに起こってしまう。同様に、押し潰れは、垂直方向の圧縮力（又は、他の力）を、上に積み重なるボトル及び／又は他の物体から受けることによって起こってしまう。延伸は、ボトルが加圧されると起こってしまう。これらの陥凹コラム７ａは、結果的に生じる力を壁に沿って底部２４ａに伝達し、且つボトル１の剛性を高める。把持部リブ群３ａ及びラベルパネルリブ群２０ａの深リブ２ａ、２ｂはフープ強度を確保し、このフープ強度は、普通の深さのリブ、又は深さが変化しないリブのフープ強度と等しくすることができる。底部リブ２２、把持部リブ３ａ、及び／又はラベルパネルリブ２０ａを含むリブ群の個数は、ボトルのいずれかのリブ収容部の１０センチメートルごとに、１〜３０個の範囲で変化させることができ、例えばこれらには限定されないが、把持部８及び／又はラベルパネル部分１０は、１０センチメートルごとに、１、２、３、４、５、６、７、８、９、１０、１１、１２、１３、１４、１５、１６、１７、１８、１９、２０、２１、２２、２３、２４、２５、２６、２７、２８、又は２９個のリブを含み、これらの値は、区分範囲の値を含み、且つこれまでに挙げた値を含む。リブ群の個数を測定するために使用される前述の１０センチメートル部分は、長さが実際に１０センチメートルである必要はない。そうではなく、１０センチメートルは、リブ群が占める割合を示すために例示的に使用される。
【００４３】
図１を参照して上に説明したが、明らかなように、陥凹コラムの形状、機能、及び陥凹コラムの変形例は、図２〜図２８を参照して説明される種々実施形態のいずれの実施形態にも適用することができる。陥凹コラムについての更なる説明は、“Ｐｌａｓｔｉｃ  Ｃｏｎｔａｉｎｅｒ  Ｈａｖｉｎｇ  Ｓｉｄｅｗａｌｌ  Ｒｉｂｓ  ｗｉｔｈ  Ｖａｒｙｉｎｇ  Ｄｅｐｔｈ”と題する米国特許第８，５５６，０９８号明細書を参照されたく、この米国特許の内容全体が、本明細書において参照されることにより本明細書に組み込まれる。
【００４４】
引き続き図１を参照すると、底部２４ａはストラップリブ４０ａを有する。ストラップリブ４０ａは、本明細書において説明されるように、ボトル１の側壁に沿って終端する側壁端４２ａを有する。底部２４ａは荷重用リブ４４ａを有する。図１に示すように、底部２４ａは、２つの荷重用リブ４４ａを２つのストラップリブ４０ａの間に有する。幾つかの実施形態では、底部２４ａは、１、３、４、及び５個の荷重用リブ４４ａを２つのストラップリブ４０ａの間に有することができる。荷重用リブ４４ａは側壁端４３ａを有し、この側壁端４３ａは、底部２４ａに沿って、底部２４ａからボトル１の側壁に移行する箇所の近傍で、又は箇所で終端する。図１に示すように、荷重用リブ４４ａの側壁端４３ａは、ストラップリブ４０ａの側壁端４２ａよりも中心軸線２５に沿って垂直方向に低い位置に設けることができる。幾つかの実施形態では、荷重用リブ４４ａの側壁端４３ａは、ボトル１の側壁に沿って、ストラップリブ４０ａの側壁端４２ａと同じ高さで終端させることができる。底部２４ａは、ストラップリブ群４０ａと荷重用リブ群４４ａとの間に形成される複数の脚部４５ａを有する。
【００４５】
ストラップリブ４０ａは、本明細書において説明されるように、荷重用リブ４４ａよりも相対的に大きく、且つ深い。図１に示すように、ストラップリブ４０ａは、陥凹コラム群７ａと垂直方向に揃うことができる。ボトル１が、３列の陥凹コラム７ａを有する場合、底部２４ａは、３個のストラップリブ４０ａを有することができる。これらのストラップリブ４０ａは、ボトル１の円周面の周りに等間隔で離間して配置される。３個のストラップリブ４０ａが等間隔で離間して配置される場合、これらのストラップリブ４０ａは、ボトル１の円周面の周りに１２０度ごとに配置される。これらの荷重用リブ４４ａは、陥凹コラム７ａと陥凹コラム７ａとの間の把持部リブ部３ａと垂直方向に揃うことができる。幾つかの実施形態では、これらのストラップリブ４０ａは、これらの陥凹コラム７ａと垂直方向に揃えないようにすることができる。幾つかの実施形態では、これらのストラップリブ４０ａは、ボトルの円周面の周りに不等間隔で離間して配置することができる。幾つかの実施形態では、底部２４ａは、陥凹コラム群７ａの列数よりも多くの、又は少ないストラップリブ４０ａを有することができる。
【００４６】
図２は、図１に示す実施形態を６０度回転させた状態の側面図を示している。ストラップリブ４０ａの側壁端４２ａは、陥凹コラム群７ａの略中心（浅及び／又は平坦リブ２ａ、２ｂの中心点）と垂直方向に揃っている、又は陥凹コラム群７ａの略中心を垂直方向に指している。図２に示すように、ストラップリブ４０ａは、側面から透視して見たときに凹部４６ａを形成する。凹部４６ａは、座面との脚部４５ａの接触面積と比較して、非常に小さい面積である。凹部４６ａを小さくすることにより、ブロー成形法を行なっている間に、より多量の樹脂を脚部４５ａの方に向かって供給し易くなる。脚部４５ａの位置の樹脂がより多量になると、脚部４５ａの耐摩耗性及び強度を高めることができる。従って、ストラップリブ群４０ａは、耐内圧性を、十分な量の樹脂を脚部４５ａに残しながら確保することにより、平坦脚底部の利点を実現するように機能することができる（すなわち、耐摩耗性、耐変形性、及び／又は耐応力割れ性を高めるために；且つ／又は脚部接触面積をより大きくして、安定性を高め、且つ荷重分布を均一にするために脚部４５ａの位置の樹脂をより厚くする）。
【００４７】
ストラップリブ４０ａは、本明細書において説明されるように、ほぼ底部２４ａの中心部（中心軸線２５）から延在することができる。ストラップリブ４０ａは、側壁の陥凹コラム７ａと底部２４ａとの間のストラップとして機能することができる。図２に示すように、ストラップリブ４０ａは、ボトル１の側壁から底部２４ａの中心に至るより真っ直ぐな、且つより短い経路となり、脚部４５ａの垂直方向高さまで延びることはない。本明細書において説明されるように、これらのストラップリブ４０ａは従って、非常に高い耐圧性を有する底部２４ａを実現する。ストラップリブ４０ａは、陥凹コラム７ａを含む側壁と底部２４ａの中心部との間の力及び応力の連結部となる。
【００４８】
図３は、６個のストラップリブ４０ｃを有する底部２４ｃの１つの実施形態の側面図を示している。３個のストラップリブ４０ｃは、陥凹コラム７ａと垂直方向に揃うことができる。他の３個のストラップリブ４０ｃは、ほぼ把持部リブ群３ａ及びラベルパネルリブ群２０ａの深リブ２ａ、２ｂと、中心軸線に沿って垂直方向に揃うことができる。これらのストラップリブ４０ｃは、ボトル１の円周面の周りに等間隔で離間して配置される。これらのストラップリブ４０ｃが等間隔で離間して配置される場合、これらのストラップリブ４０ｃは、ボトルの円周面の周りに６０度ごとに配置される。圧力を受けている状態では、深リブ部２ａ、２ｂは、曲がってしまって、ボトル１を三角形状にしてしまう。ボトル１の三角形状化は、把持部８及び／又はラベル部分１０で起こってしまう。深リブ部２ａ、２ｂと垂直方向に揃ったこれらのストラップリブ４０ａは、深リブ部２ａ、２ｂが撓んでしまうのを少なくとも部分的に防止することができる。深リブ部２ａ、２ｂと垂直方向に揃ったこれらのストラップリブ４０ａは、外側半径方向への膨張に耐えることができ、これによって今度は、把持部８及び／又はラベル部分１０での外側半径方向への膨張を防止し易くすることができる。把持部８及び／又はラベル部分１０で外側半径方向への膨張を防止することにより、ボトル１の三角形状化を防止し易くすることができる。三角形状化を防止することにより、消費者が要求するボトルの丸みを保持し易くなる。更に、ボトルの丸みを保持することにより、ラベル貼り機で、ボトリング中に確実に、ボトルに正しくラベル貼りし易くなる。ラベル貼り機は、三角形状になったボトルに正しくラベル貼りすることができない。
【００４９】
図４は、ストラップリブ４０ａの１つの実施形態の上部斜視図を示している。図４に示すように、ストラップリブ４０ａは、ほぼ底部リブ２２の周縁又は境界で終端する側壁端４２ａを有する。本明細書において説明されるように、図示の側壁端４２ａが底部リブ２２で、又は底部リブ２２の近傍で終端することにより、ストラップリブ４０ａを陥凹コラム７ａに底部リブ２２を介して連通させることができる。ストラップリブ４０ａが底部リブ２２を超えて延在しないことにより、底部リブ２２は、ボトル１の外周面の周りの非分断リブとして維持される。本明細書において説明されるように、底部リブ２２は、梱包中、出荷中、及び／又は取り扱い中の他のボトルとの接触部位として機能することができる。非分断底部リブ２２は、他のボトル又は構造物と接触する、又はぶつかるときにボトルに発生する応力及び変形に、より強く耐えることができる。従って、例えばボトルが加圧されずに利用されるか、又はボトルが比較的低い圧力で加圧されて利用される場合のように、接触部位の完全性を保持することが望ましい場合、底部リブ２２は、底部リブ２２で終端する、又は底部リブ２２の近傍で終端するストラップリブ４０ａの側壁端４２ａで分断されない状態を保持することができる。
【００５０】
図５は、ストラップリブ４０ｂが、底部リブ２２を超えてボトル１の側壁に入り込んで延在する構成の底部２４ｂの１つの実施形態の側面図を示している。図５に示すように、ストラップリブ４０ｂの側壁端４２ｂは、ストラップリブ４０ｂが陥凹コラム７ａと垂直方向に揃う場合の第１平坦及び／又は浅リブ６ａ（底部２４ｂから数えて最初の）など、把持部８で終端させることができる。幾つかの実施形態では、ストラップリブ４０ｂは、深リブ２ａ、２ｂと垂直方向に揃うことができ、且つ第１深リブ２ａ（底部２４ｂから数えて最初の）に入り込んで終端させることができる。幾つかの実施形態では、ストラップリブ４０ｂは、第１浅リブ６ａ及び／又は第１深リブ２ａを通り過ぎて、例えば第２、第３、及び／又は第４把持部リブ３ａの位置で終端する側壁端４２ａを有することができる。
【００５１】
図５Ａは、ボトル１が、底部２４ｄと、３個のストラップリブ４０ｄと、６個の荷重用リブ４４ｄと、を備える構成の別の実施形態の側面図を示している。底部２４ｄは、ストラップリブ群４０ｄと荷重用リブ群４４ｄとの間に形成される複数の脚部４５ｄを有する。ストラップリブ群４０ｄの各ストラップリブ４０ｄは、図１〜図２に示す実施形態に関連して説明したように、ほぼ底部２４ｄの中心部から延び出して、把持部８の側壁端４２ｄで終端する。これらのストラップリブ４０ｄは、側壁のこれらの陥凹コラム７ａと連携して、底部２４ｄの側壁及び中心部に沿った曲げ、傾倒、潰れ、又は延伸に耐えることができる。図５Ａに示す実施形態では、２個の荷重用リブ４４ｄは、ストラップリブ４０ｄ群のうちの２個のストラップリブ４０ｄの間に等間隔で離間して配置される。他の実施形態では、底部２４ｄは、ストラップリブ４０ｄ群のうちの２個のストラップリブ４０ｄの間に配置される２個よりも多くの、又は２個よりも少ない荷重用リブ４４ｄを有することができる。荷重用リブ群４４ｄの各荷重用リブ群４４ｄは、底部２４ｄに沿って、底部２４ｄからボトル１の側壁に移行する箇所の近傍で、又は箇所で終端する側壁端４３ｄを有する。図５Ａに示すように、これらの側壁端４３ｄの各側壁端４３ｄは、側壁端４２ｄよりも中心軸線２５に沿って垂直方向に低い位置にある。しかしながら、他の実施形態では、荷重用リブ４４ｄのこれらの側壁端４３ｄは、ボトル１の側壁に沿って、ストラップリブ４０ｄのこれらの側壁端４２ｄと、中心軸線２５に沿った同じ高さで終端させることができる。
【００５２】
図６は、６列の陥凹コラム７ｂを有するラベル部分１０の１つの実施形態の側面図を示している。図６に示すように、ラベル部分１０は、垂直方向に揃った６個の浅リブ６ｂを有することができる。垂直方向に揃ったこれらの浅リブ６ｂの各浅リブ６ｂが陥凹コラム７ｂを形成する。これらの陥凹コラム７ｂは、ボトル１の円周面の周りに等間隔で離間して配置される。６列の陥凹コラム７ｂが、ボトルの円周面の周りに等間隔で離間して配置される場合、陥凹コラム７ｂは、ボトル円周面の周りに６０度ごとに配置される。陥凹コラム７ｂを更に増やすことにより、本明細書において説明されるように、ラベル部分１０における場合を含む、ボトル１の三角形状化を防止し易くすることができる。浅リブ６ａ、６ｂ、及び／又は陥凹コラム７ａ、７ｂは、より浅いリブが、より小さい半径方向深さを有して撓み範囲をもたらすという少なくとも部分的な根拠により、半径方向外側への撓みに、より強く耐えることができる。このようなことから、浅リブ６ａ、６ｂ、及び／又は陥凹コラム７ａ、７ｂは、深リブ２ａ、２ｂよりも、内圧に耐えるより強い耐性を有する。従って、浅リブ６ａ、６ｂ、及び／又は陥凹コラム７ａ、７ｂをボトルの円周面の周りにもっと多く設けることにより、ボトル１の三角形状化を阻止し易くすることができる。幾つかの実施形態では、６列の陥凹コラム７ｂは、６個のストラップリブ４０ｃを有する図３に示す実施形態と組み合わせることができる。従って、本明細書において説明されるように、このような実施形態は、ラベル部分１０及び把持部８の両方における三角形状化に、より強く耐えることができる。図６に示すように、６列の陥凹コラム７ｂがラベル部分１０に設けられた状態で３列の陥凹コラム７ａを把持部８に設けることにより、深リブ２ａを３箇所に有する構成の把持部８の剛性を確保し易くなって、フープ強度を付与すると同時に、６列の陥凹コラム７ｂを有するラベル部分１０における三角形状化を防止して、側壁が、特にラベル部分１０で撓んでしまうのを阻止することができる。
【００５３】
図６Ａは、ボトル１の円周面の周りに等間隔で離間して配置される６列の陥凹コラム７ｂを有するラベル部分１０を備えるボトル１の別の実施形態の側面図を示している。この技術分野の当業者であれば、これらの陥凹コラム７ｂのうちの３列の陥凹コラム７ｂが、ボトル１の把持部８のこれらの陥凹コラム７ａに揃っていることにより、陥凹コラム群７ａの延長部分として機能することを理解することができるであろう。更に、図６Ａに示すボトル１の実施形態は、図５Ａに示す実施形態と、図６Ａに示すボトル１が更に、底部リブ２２を備えていることを除き、略同様である。３個のストラップリブ４０ｄの各ストラップリブ４０ｄは、底部リブ２２を超えてボトル１の側壁に入り込むことにより、底部リブ２２を１２０度の角度セグメントに分割している。当業者であれば、これらの陥凹コラム７ａ、７ｂ、ストラップリブ群４０ｄ、及び荷重用リブ群４４ｄだけでなく、底部リブ２２の特定の実施形態の数は、本明細書において図示される数から、本発明の思想及び範囲から逸脱しない限り変えることができることを理解できるであろう。
【００５４】
図７は、ストラップリブ４０ｂの１つの実施形態の上部斜視図を示している。図７に示すように、ストラップリブ４０ｂは、本明細書において説明されるように、且つ図１９を参照して具体的に説明されるように、ほぼ第１浅リブ６ａ（底部２４ｂから数えて最初の）で、又はほぼ第１浅リブ６ａ内で直線部分４５を経て終端する側壁端４２ｂを有する。側壁端４２ｂをボトルの把持部８に入り込むように、例えば把持部リブ３ａに入り込むように延在させることにより、ストラップリブ４０ｂを陥凹コラム７ａと直接接続するか、又は連通させることができる。本明細書において説明されるように、ストラップリブ４０ｂと陥凹コラム７ａを直接連通させることにより、内圧に耐える耐性を確保し易くすることができる。本明細書において説明されるように、ストラップリブ４０ｂと陥凹コラム７ａを真っ直ぐに連通させることにより、ボトルに発生する応力を、より良好に伝達して、応力に耐える耐性を確保し易くすることができる。
【００５５】
図７Ａは、図５Ａに示すストラップリブ４０ｄの１つの実施形態の上部斜視図を示している。図７Ａに図示される実施形態では、ストラップリブ４０ｄは、直線部分４５と、側壁端４２ｄと、を備え、側壁端４２ｄは、ほぼ第１浅リブ６ａで、又はほぼ第１浅リブ６ａ内で終端する。本明細書において説明されるように、これらの側壁端４２ｄを、ボトル１の把持部８に入り込むように、例えば把持部リブ３ａに入り込むように延在させることにより、本明細書において説明されるように、これらのストラップリブ４０ｄを陥凹コラム７ａと連動して機能させて、内圧に耐える耐性を確保することができる。本明細書において説明されるように、これらのストラップリブ４０ｄとこれらの陥凹コラム７ａを真っ直ぐに連通させることにより、ボトルに発生する応力を、より良好に伝達して、応力に耐える耐性を確保することができる。
【００５６】
図８Ａ及び図８Ｂは、コラム突出コラム群をこれらの側壁に設けた構成のボトル１の種々実施形態の底部斜視図を示している。図８Ａに示すように、ボトル１は、突出コラム４７ａ、４７ｂを有することができる。突出コラムは、直接包囲面から半径方向外側に突出し、且つ例えば、ボトル１の側壁により形成されるコラムであると考えることができる。突出コラムは、把持部８（底部リブ２２を含む）の突出コラム４７ａと、ラベル部分１０の突出コラム４７ｂと、を有する。突出コラム４７ａ、４７ｂは、本明細書において説明されるように、曲げ、傾倒、及び／又は延伸に耐えることができる。突出コラム４７ａ、４７ｂは、突出コラム４７ａ、４７ｂにおける、且つ突出コラム４７ａ、４７ｂの近傍における半径方向外側への撓みに耐えることもできる。突出コラム４７ａ、４７ｂは、ほぼボトル側壁の全長又は全高に沿って、例えば底部リブ２２におけるように、又は底部リブ２２の近傍におけるように、本明細書において説明されるボトルが他のボトルに接触する部位の連続性を分断することなく形成される。図８Ａに示すように、底部２４ａはストラップリブ４０ａを有し、ストラップリブ４０ａは、突出コラム４７ａ、４７ｂと略垂直方向に揃っている。突出コラム４７ａ、４７ｂがストラップリブ４０ａと揃うことにより、底部リブ４０ａが陥凹コラム７ａと垂直方向に揃う構成を参照して本明細書において説明されるのとほぼ同じ、曲げ、傾倒、延伸、及び／又は底部の広がりに耐える耐性を確保することができる。
【００５７】
図８Ｂに示すように、ボトル１は押込コラム４９を有することができる。押込コラムは、直接包囲面から半径方向内側に刻設され、且つ例えば、ボトル１の側壁により形成される押込コラムであると考えることができる。押込コラム４０は、把持部８（底部リブ２２を含む）に配置される。押込コラム４９は、本明細書において説明されるように、曲げ、傾倒、及び／又は延伸に耐えることができる。押込コラム４９は更に、押込コラム４９の位置における、且つ押込コラムの近傍における半径方向外側への撓みに耐えることができる。押込コラム４９は、本明細書において説明される所望の機能を、ボトル１の側壁の外周面から突出するのを回避しながら実現することができる。押込コラム４９は、例えば底部リブ２２を通過して突出することにより、底部リブ２２を不連続にすることができる。不連続リブ２２は、加圧ボトルに利用することができ、この場合、本明細書において説明されるように、ボトルが加圧されることに起因して得られる接触部位の耐性のうちの少なくとも相当部分が確保される。図８Ａに示すように、底部２４ｂはストラップリブ４０ｂを有し、ストラップリブ４０ｂは、押込コラム４９と略垂直方向に揃っている。ストラップリブ４０ｂは、押込コラム４９に連続的に移行して、より良好な機能を発揮することができる。ストラップリブ４０ｂは、ストラップリブ４０ｂが押込コラム４９に、例えば図８Ｂに示す底部リブ２２を通過して直接移行することにより、押込コラム４９と直接連通することができる。ストラップリブ４０ｂが押込コラム４９に揃って直接連通することにより、本明細書において特に、図１６、図１７、及び図２５を参照して説明される耐圧性のあるストラップを形成し易くすることができる。押込コラム４９がストラップリブ４０ｂに揃って真っ直ぐに連通することにより、本明細書において、陥凹コラム７ａに垂直方向に揃う底部リブ４０ｂについて説明される耐性とほぼ同じ、曲げ、傾倒、延伸、及び／又は底部の広がりに耐える耐性を確保することができる。
【００５８】
図９は、底部２４ａの１つの実施形態の底部斜視図を示している。底部２４ａは、本明細書において説明されるように、ストラップリブ４０ａと、荷重用リブ４４ａと、を有する。底部２４ａはゲート５２を有する。図９に示すように、底部２４ａはドーム５４を有することができる。ドーム５４は、ゲート５２の周りの略全体を取り囲む領域、又はゲート５２の周りの直ぐ傍に接する領域であると考えることができる。ドーム５４は、底部２４ａの押し上げ部であると表記することができる。例えば、ドーム５４は、底部２４ａの壁であり、この壁は、ボトルを、底部２４ａの脚部４５ａに至る底部２４ａの壁の残りに対して座面に垂直に載置した場合に、座面の方に向かってより急峻に傾斜する。
【００５９】
ストラップリブ４０ａは底部端５６ａを有し、この底部端５６ａは、ドーム５４の近傍で、ドーム５４の位置で、又はドーム５４内で終端する。幾つかの実施形態では、ストラップリブ４０ａの底部端５６ａは、荷重用リブ４４ａの底部端５８ａと同様に、ドーム５４領域の外部に配置することができる。ストラップリブ４０ａは花弁状側壁（すなわち、リブ側壁又はリブ谷壁）４８ａを有し、この花弁状側壁４８ａは、ストラップリブ４０ａを底部２４ａの一部、及び底部２４ａの脚部４５の一部に接続する。リブ側壁４８ａは、底部２４ａ及び脚部４５になだらかに徐々に移行する。なだらかに徐々に移行することにより、リブ側壁４８ａの位置における、且つリブ側壁４８ａの近傍における耐内圧性を確保することができるが、その理由は、ボトル１の球面形状部がより多くなって、内圧をより良好に吸収することができるからである。ストラップリブ４０ａは、荷重用リブ５８ａよりも底部２４ａ内で相対的に深くなって、本明細書において説明されるように、応力伝達性及び耐内圧性を確保することができる。
【００６０】
荷重用リブ４４ａは底部端５８ａを有し、この底部端５８ａは、ドーム５４の位置で、ドーム５４の近傍で、又はドーム５４内で終端する。図９に示すように、荷重用リブ４４ａの底部端５８ａは、ストラップリブ４０ａの底部端５６ａの手前で終端することができる。荷重用リブ４４ａはストラップリブ４０ａよりも浅い。図９に示すように、荷重用リブ４４ａは、ストラップリブ４０ａについて本明細書において説明される通り、より小さなリブ側壁４８ａ形状部を有する必要はない、又は有することができる。荷重用リブ４４ａから底部２４ａ及び脚部４５ａへの移行は、より急激に、又は急峻に行なわれる。移行がより急峻に行なわれることにより、外部応力耐性を浅リブの側面４８ａについて確保することができる。ボトル１が梱包中、出荷中、及び／又は取り扱い中に押潰し力を受ける場合、荷重用リブ４４ａがより急峻に移行すると、本明細書において説明される曲げ、及び／又は傾倒に、例えば底部２４ａの完全性及び形状を保持することにより耐え易くなる。
【００６１】
移行がより急峻に行なわれることにより、底部２４ａの脚部４５ａへ速やかに移行することができる。移行が速やかに行なわれると、相対的に大きい脚部４５ｅのために利用することができる底部２４ａの面積がより広くなる。本明細書において説明されるように、且つ図９に図示されるように、平坦脚底部２４ａの脚部４５ａがより大きくなることにより、座面との樹脂接触領域をより大きくすることができる。より多くの樹脂部分が座面に接触することにより、底部２４ａの耐摩耗性及び安定性をより高めることができる。
【００６２】
図９に示すように、リブ側壁４８ａは、ストラップリブ４０ａ自体に、壁４８ａから脚部４５ａへの移行よりも急激に、又は急峻に移行することができる。ストラップリブ４０ａ自体において、より急激に移行することにより、より高い剛性がストラップリブ４０ａに付与されて、本明細書において説明される内圧に起因する撓みに耐える、又は撓みを阻止することができる。
【００６３】
図１０は、底部２４ｂの１つの実施形態の底部斜視図を示している。底部２４ｂは、本明細書において説明されるように、ストラップリブ４０ｂと、荷重用リブ４４ｂと、を有する。ストラップリブ４０ｂは底部端５６ｂを有し、底部端５６ｂは、ドーム５４の近傍で、ドーム５４の位置で、又はドーム５４内で終端する。図１０に示すように、ストラップリブ４０ｂの底部端５６ｂは、ゲート５２の略近傍で、又はゲート５４の位置で終端することができる。荷重用リブ４４ｂは底部端５８ｂを有し、底部端５８ｂは、ドーム５４の近傍で、ドーム５４の位置で、又はドーム５４内で終端する。図１０に示すように、荷重用リブ４４ｂの底部端５８ｂは、ストラップリブ４０ｂの底部端５６ｂの手前で終端することができる。ストラップリブ４０ｂの底部端５６ｂ、及び／又は荷重用リブ４４ｂの底部端５８ｂをゲート５２の略近傍で、又はゲート５２の位置で終端させることにより、本明細書において説明される内圧に耐える更に高い耐性を底部２４ｂに付与することができることにより、例えば底部２４ｂの広がりを防止し易くすることができる。ストラップリブ４０ｂの底部端５６ｂをゲート５２の略近傍で、又はゲート５２の位置で終端させることにより、ゲート５２（又は、ゲート５２の近傍）から側壁端４２ｂまで連続するストラップリブ４０ｂを設けることができる。図７及び図１０に示すように、側壁端４２ｂは、第１浅リブ６ａの位置で終端し、且つ陥凹コラム７ａと真っ直ぐに連通することができる。陥凹コラム７ａからゲート５２まで連続していることにより、ラベル部分１０の上部からゲート５２に達する、耐圧性のある略連続する帯状部又はストラップを設けることができる。略連続する耐圧性のあるストラップ９ａ、９ｂ（図１６及び図１７）は、本明細書において説明されるように、内圧に対するより高い耐性を付与することができる。
【００６４】
図１１は、底部２４ｃの１つの実施形態の底部斜視図を示している。底部２４ｃは、本明細書において説明されるように、ストラップリブ４０ｃと、荷重用リブ４４ｃと、を有する。図１１に示すように、底部２４ｃはド―ムを有していない。底部２４ｃの壁は、ゲート５２から直接、半径方向に延在している。ドームを有していないことにより、樹脂だまりがゲート５２の近傍に形成されるのを防止し易くしている。樹脂だまりが形成されるのを回避することにより、無駄になる樹脂を減らすことができる。図１１に示すように、ドーム５４がない場合、ストラップリブ４０ｃは、ゲート５２まで真っ直ぐに、又はほぼ連続して延在することができる。ストラップリブ４０ｃは、ゲート５２の略近傍で、又はゲート５２の位置で、ゲート５２の近傍の壁に、又はゲート５２自体になだらかに移行するように終端することができる。ゲート５２、ゲート５２の周りの壁、底部端４３ｃ、及び／又はストラップリブ４０ｃからなだらかに移行することにより、底部２４ｃの更に均一な壁、又は更に均一な表面が、特に底部の広がりによる撓みの殆どが発生するゲート５２の周りに形成されるようになる。更に均一な壁形状部は、本明細書において説明されるように、内圧により強く耐えることができ、特にボトルの延伸、及び底部の広がりに対する耐性を確保することができる。内圧に対する耐性は、底部２４ｃの広がりを阻止する６個のストラップリブ４３ｃを設けることにより更に高まる。内圧に耐えるストラップリブ４０ｃを更に多くする場合、底部２４ｃが、圧力が上昇して広がる可能性は低くなる。更に、底部２４ｃの更に大きな割合部分が、リブ側壁４８ｃにより形成され、これにより、本明細書において説明されるように、リブ側壁４８ｃの球面によって表面積の増加が可能になって耐内圧性を高めることができる。
【００６５】
図１１Ａは、図５Ａに示す底部２４ｄの１つの実施形態の底部斜視図を示している。底部２４ｄは、本明細書において説明されるように、ストラップリブ群４０ｄと、荷重用リブ群４４ｄ、を備える。図１１Ａに示す底部２４ｄは更に、ゲート５２と、ドーム５４と、を備える。底部２４ｄのこれらの壁は、ゲート５２から直接、半径方向に延在している。ストラップリブ群４０ｄの各ストラップリブ４０ｄは底部端５６ｄを有し、底部端５６ｄは、ゲート５２の周囲の近傍のドーム５４内で終端する。他の実施形態では、これらの底部端５６ｄは、ドーム５４の周囲の近傍で、又は周囲で終端することができる。更に他の実施形態では、これらの底部端５６ｄは、これらの荷重用リブ４４ｄの底部端５８ｄと同様に、ドーム５４領域の外部に配置することができる。これらのストラップリブ４０ｄの各ストラップリブ４０ｄは、２つのリブ側壁（すなわち、谷壁）４８ｄを有し、これらのリブ側壁４８ｄは、ストラップリブ４０ｄを底部２４ｄの一部、及び脚部４５ｄの一部に接続する。これらのリブ側壁４８ｄの各リブ側壁４８ｄは、底部２４ｄ及び脚部４５ｄになだらかに徐々に移行する。なだらかに徐々に移行することにより、これらのリブ側壁４８ｄの位置における、且つこれらの側壁４８ｄの近傍における耐内圧性を確保することができるが、その理由は、ボトル１の球面形状部が更に多くなって、内圧をより良好に吸収することができるからである。これらのストラップリブ４０ｄは、これらの荷重用リブ４４ｄよりも底部２４ｄ内で相対的に深くなって、本明細書において説明されるように、応力伝達性及び耐圧性を確保することができる。
【００６６】
上に説明したように、これらの荷重用リブ４４ｄの各荷重用リブ４４ｄは底部端５８ｄを備え、底部端５８ｄはドーム５４の位置で、ドーム５４の近傍で、又はドーム５４内で終端する。図１１Ａの実施形態に図示されているように、これらの荷重用リブ４４ｄの底部端５８ｄは、これらのストラップリブ４０ｄの底部端５６ｄの手前で終端する。これらの荷重用リブ４４ｄは、これらのストラップリブ４０ｄよりも浅い。図１１Ａに詳細に図示されているように、これらの荷重用リブ４４ｄは、これらのストラップリブ４０ｄについて説明したように、より小さなリブ側壁４８ｄ形状部を有する。従って、これらの荷重用リブ４４ｄの各荷重用リブ４４ｄから底部２４ｄの脚部４５ｄへの移行が更に急激に、又は更に急峻に行なわれることにより、より大きなリブ側壁４８ｄ形状部を有する場合に可能となるよりも高い外部応力耐性を確保することができる。この技術分野の当業者であれば理解できることであるが、これらの荷重用リブ４４ｄｇがより急峻に移行することにより、本明細書において説明される曲げ、及び／又は傾倒に、例えばボトル１が梱包中、出荷中、及び／又は取り扱い中に押潰し力を受ける場合の底部２４ｄの完全性及び形状を保持することにより耐え易くなる。
【００６７】
図１２〜図１５は、本明細書において説明される種々の底部の実施形態の底面図を示している。図１２〜図１４は、ゲート５２の方により近接する底部端５６ａ〜５６ｄ、５８ａ〜５８ｄのうちの幾つかの底部端が徐々に進入する様子を示す一連の底部を示している。例えば、本明細書において説明されるように、荷重用リブ４０ｂの底部端５６ｂは、荷重用リブ４０ａの底部端５６ａよりもドーム５４内のゲート５２に近接している。別の例として、本明細書において説明されるように、荷重用リブ４０ｂの底部端５８ｂは、荷重用リブ４４ａの底部端５８ａよりもドーム５４内のゲート５２に近接している。図１２及び図１３に示すように、荷重用リブ４４ａ、４４ｂの底部端５８ａ、５８ｂは、ストラップリブ４０ａ、４０ｂの底部端５６ａ、５６ｂよりもゲート５２から半径方向に遠く離れている。図１４に示すように、これらの荷重用リブ４４ｄの底部端５８ｄは、ゲート５２から半径方向に、ストラップリブ４０ｄの底部端５６ｄと同じ等距離だけ離れている。幾つかの実施形態では、ストラップリブ４０ａ、４０ｂ、４０ｃ、４０ｄの底部端５６ａ、５６ｂ、５６ｃ、５６ｄが、ゲート５２により近接して位置することにより、本明細書において説明されるように、より高い耐内圧性を確保することができる。幾つかの実施形態では、荷重用リブ４４ａ、４４ｂ、４４ｃ、４４ｄの底部端５８ａ、５８ｂ、５８ｃ、５８ｄがゲート５２により近接して位置することにより、本明細書において説明されるように、より高い耐内圧性を確保することができるが、耐内圧性の大部分は、ストラップリブ４０ａ、４０ｂ、４０ｃ、４０ｄによって依然として確保される。荷重用リブ４４ａ、４４ｂ、４４ｃ、４４ｄの底部端５８ａ、５８ｂ、５８ｃ、５８ｄがゲート５２に、ストラップリブ４０ａ、４０ｂ、４０ｃ、４０ｄの底部端５６ａ、５６ｂ、５６ｃ、５６ｄと同じく、より近接して延在すると、ストラップリブ４０ａ、４０ｂ、４０ｃ、４０ｄによって確保される耐圧性を補完することができる。
【００６８】
図１５に示すように、ドーム５４がない底部２４ｃの１つの実施形態は、更に均一な壁をゲート５２の周りに形成する。これらのストラップリブ４０ｃは、ゲート５２から延びる、又はゲート５２の周りを取り囲む更になだらかな、又は連続する延長部分とすることができる。ゲート５２から延びる、又はゲート５２の周りを取り囲む連続延長部分により、ゲート５２からラベル部分１０の上部まで延在する耐圧力性ストラップ９ｃ（図１７）を形成し易くなる。連続耐圧力性ストラップ９ｃは、本明細書において説明されるように、内圧に、より強く耐えることができ、特にボトル延伸、及び底部の広がりに対する耐性を確保することができる。
【００６９】
図１６Ａは、図２に示すボトル１の１つの実施形態の中心軸線２５に沿った断面を示している。図１６Ａに示すように、平坦リブ又は陥凹コラム７ａは、深リブ部２ａ、２ｂ（例えば、実施形態が３列の陥凹コラム７ａを有する場合）のボトル円周面の反対側に位置している。図示の実施形態では、底部リブ２２は、ボトル１の円周面全体を通じて一定の断面を有する。幾つかの実施形態では、底部２４の直径Ｌｄは、ボトル１の他のいずれの直径よりも、０．５〜２ミリメートル、０．６、０．７、０．８、０．９、１、１．１、１．２、１．３、１．４、１．５、１．６、１．７、１．８、又は１．９ミリメートルだけ大きく、これらの値は、区分範囲の値を含み、且つ上に挙げた値を含む。ボトル１の最大直径がＬｄである実施形態では、ボトル１は、生産ライン中及び／又は梱包中の略同様の他のボトル群との接触部位を単に底部２４ａに１箇所だけ有する。更に、底部２４ａの直径Ｌｄがより大きくなると、底部２４ａに何らかのダメージが加わる場合の安定性を向上させることができる。図１６Ａに示すように、肩部１８の位置での直径Ｌｓは直径Ｌｄに等しくすることができ、これにより、生産ライン中及び／又は梱包中の略同様の他のボトル群との２箇所の接触部位を肩部１８及び底部２４ａに設けることができる。幾つかの実施形態では、ボトル１のいずれの部分の直径（群）も変えることができ、この場合、複数箇所の直径を最大にすると、生産ライン中及び／又は梱包中の接触部位を複数箇所に設けることができる。これらのボトルは、接触部位を１箇所だけ有するか、又は複数箇所に有するかのいずれかとすることができる。
【００７０】
図１６Ａに示すように、ストラップリブ４０ａは、陥凹コラム７ａと垂直方向に揃うことができる。ストラップリブ４０ａ及び陥凹コラム７ａは一体となって耐圧性バンド９ａを形成することができ、この耐圧性バンド９ａは、ゲート５２からラベル部分１０の上部、又は陥凹コラム７ａの上部まで非常に長く延在している。耐圧性バンド９ａは、ボトル１の底部２４ａ及び側壁に大部分が作用する内圧に対する耐性を確保して、例えば本明細書において説明される延伸、及び／又は底部の広がりを阻止することができる。
【００７１】
図１６Ｂ及び図１６Ｃは、深リブ２ａ、２ｂが、中間リブ４ａ、４ｂの深さよりも深い深さであり、中間リブ４ａ、４ｂの深さが、平坦及び／又は浅リブ６ａ、６ｂの深さよりも深い構成の実施形態を示している。種々の深さと深さとの間の移行は、図１Ａに示すように、なだらかに行なわれる。幾つかの実施形態では、この移行は、種々の深さ部分、又は種々の深さ部を結ぶ階段状変化のような他の或る形状で行なわれてもよい。図示の実施形態では、把持部リブ３ａ（すなわち、側壁リブ群）は、３個の深リブ部２ａと、６個の中間リブ部４ａと、３個の平坦及び／又は浅リブ部６ａと、を有する。本明細書において開示されるように、“部分”という用語は、種々の深さのリブについて表記される“部”という用語と同じ意味とすることができる。
【００７２】
図１６Ｂを参照するに、垂直軸線又は中心軸線２５に沿って下方に見たときのボトル１の断面を示す１つの実施形態は、把持部リブ３ａの断面を示している。本明細書において開示されるように、“ｖｅｒｔｉｃａｌ  ａｘｉｓ”という用語は、“ｃｅｎｔｒａｌ  ａｘｉｓ”という用語と同じ意味とすることができる。把持部リブ３ａの深さは、深リブ２ａから平坦及び／又は浅リブ６ａの深さに変化する。１個以上の平坦及び／又は浅リブ６ａは、等価の陥凹コラム群７ａを、複数の平坦及び／又は浅リブ６ａが図１及び図２に示すように、ボトル１の垂直軸線又は中心軸線２５に沿って略垂直方向に揃えられる複数部分に形成する。複数の深リブ２ａは、図１及び図２に示すように、ボトル１の垂直軸線又は中心軸線２５に沿って略垂直方向に揃えられている。複数の中間リブ４ａは、図１及び図２に示すように、ボトル１の垂直軸線又は中心軸線２５に沿って略垂直方向に揃えられている。
【００７３】
平坦及び／又は浅リブ部６ａが一直線に３列に揃った状態の図示の実施形態では、ボトル１はそれに応じて、３列の陥凹コラム７ａを有する。３列の陥凹コラム７ａは、ボトルの円周面の周りに等間隔で離間して配置され、且つ深リブ部２ａとは、ボトル円周面の反対側に位置している。しかしながら、これらの平坦及び／又は浅リブ６ａは、ボトル１の円周面の周りに不等間隔で離間して配置されるようにしてもよい。更に、任意の列数の陥凹コラム７ａをボトル１のデザインに、垂直軸線又は中心軸線２５に沿って略垂直方向に揃えられる平坦及び／又は浅リブ群６ａの列数を増やすか、又は減らすことにより取り入れることができる。例えば、ボトルは、１列だけという少ない列数の陥凹コラム７ａを有するか、又は２、３、４、５、６、７、８、又は９列の陥凹コラム７ａを含む最大１０列の陥凹コラム７ａを有することができ、これらの値は、区分範囲の値を含み、且つ上に挙げた値を含む。図示の実施形態では、陥凹コラム７ａを形成する平坦及び／又は浅リブ群６ａからなるこれらの集合体は、傾倒、及び／又は潰れ、及び／又は延伸に対する耐性を確保することができる。傾倒は、ボトル梱包中、及び／又はボトル梱包後に、ボトルが押潰し力（接線方向力又はその他の力）をボトルの上部に積み重なる他のボトル群及び／又は他の物体から受ける場合に生じてしまう。同様に、押潰れは、ボトル群及び／又はボトルの上に積み重なる他の物体から圧縮力（又は、他の力）を垂直方向に受けることにより生じてしまう。延伸は、ボトルが加圧されるときに生じてしまう。図示の実施形態では、これらの陥凹コラム７ａは、結果的に生じる接線方向力又は圧縮力を壁に沿って底部２４ａに伝達してボトル１の剛性を高める。把持ラベルリブ３ａの深リブ群２ａは、普通の深さのリブ群のフープ強度と同等であるとすることができるフープ強度を確保することができる。平坦及び／又は浅リブ部６ａの場合と同じように、これらの深リブ部２ａは、２、３、４、５、６、７、８、又は９個の深リブ部２把持パネルリブを含む、１〜１０個の範囲で変化する個数の深リブ部とすることができ、これらの値は、区分範囲の値を含み、且つ上に挙げた値を含む。
【００７４】
図１６Ｂが示すように、特定の実施形態は、三角形状又は平坦及び／又は浅リブ６ａが占める割合を最小限に抑えて、ボトル円周面の２１、２２、２３、２４、２５、２６、２７、２８、又は２９％を含む２０〜３０％とすることにより、ボトル円周面の７１、７２、７３、７４、７５、７６、７７、７８、又は７９％を含む該当する７０〜８０％の割合の部分を台形状又は深リブ２ａ、及び中間リブ４ａとすることができ、これらの値は、区分範囲の値を含み、且つ上に挙げた値を含む。しかしながら、三角形状リブ又は台形状リブ、又はこの技術分野で公知の他の形状のリブを任意の割合で利用することができる。
【００７５】
図１６Ｂを参照するに、垂直軸線又は中心軸線２５に沿って下方に見たときのボトル１の断面を示す１つの実施形態は、ラベルパネルリブ２０ａ（すなわち、側壁リブ群）の断面を示している。ラベルパネルリブ２０ａの深さは、深リブ群２ｂから平坦及び／又は浅リブ群６ｂの深さに変化する。１個以上の平坦及び／又は浅リブ６ｂは、等価の陥凹コラム群７ａを、複数の平坦及び／又は浅リブ６ｂが図１及び図２に示すように、ボトル１の垂直軸線又は中心軸線２５に沿って略垂直方向に揃えられる複数部分に形成する。これらの陥凹コラム７ａは、本明細書において説明されるように、把持部８の１つ以上の平坦及び／又は浅リブ６ａを含むことができる。複数の深リブ２ｂは、図１及び図２に示すように、ボトル１の垂直軸線又は中心軸線２５に沿って略垂直方向に揃えられている。複数の中間リブ４ｂは、図１及び図２に示すように、ボトル１の垂直軸線又は中心軸線２５に沿って略垂直方向に揃えられている。
【００７６】
平坦及び／又は浅リブ部６ｂが一直線に３列に揃った状態の図示の実施形態では、ボトル１はそれぞれ、３列の陥凹コラム７ａを有する。これらのラベルパネルリブ２０ａの平坦及び／又は浅リブ６ｂは、これらの把持部リブ３ａの平坦及び／又は浅リブ６ａと垂直軸線又は中心軸線２５に沿って垂直方向に揃えられることができることにより、３列の陥凹コラム７ａを形成することができる。従って、幾つかの実施形態では、これらの陥凹コラム７ａは、例えば図１に示すように、ボトル１の側壁（例えば、高さ、及び／又は長さ）の大部分、又は略全体に沿って延在することができる。
【００７７】
幾つかの実施形態では、これらのラベルパネルリブ２０ａの平坦及び／又は浅リブ６ｂは、これらの把持部リブ３ａの平坦及び／又は浅リブ６ａと垂直方向に揃えないことにより、ラベル部分１０が、一組の陥凹コラム群を有するようになり、且つ把持部８が、別の組の陥凹コラム群を有するようになる。このように、ラベル部分１０の陥凹コラムは、把持部８のこれらの陥凹コラムと垂直方向に揃えないようにすることができる。
【００７８】
ラベル部分１０の複数の深リブ２ｂは、図１及び図２に示すように、把持部８の複数の深リブ２ａと垂直軸線又は中心軸線２５に沿って略垂直方向に揃えられることができる。幾つかの実施形態では、ラベル部分１０の複数の深リブ２ｂは、把持部８の複数の深リブ２ａと垂直方向に揃えないようにすることができる。ラベル部分１０の複数の中間リブ４ｂは、図１及び図２に示すように、把持部８の中間リブ群４ａと垂直軸線又は中心軸線２５に沿って略垂直方向に揃えられることができる。幾つかの実施形態では、ラベル部分１０の複数の中間リブ４ｂは、把持部８の中間リブ群４ａと垂直方向に揃えないようにすることができる。
【００７９】
図示の実施形態では、３列の陥凹コラム７ａは、ボトルの円周面の周りに等間隔で離間して配置され、且つこれらの深リブ部２ｂとはボトル円周面の反対側に位置している。しかしながら、平坦及び／又は浅リブ６ａ、６ｂは、ボトルの円周面の周りに不等間隔で離間して配置されるようにしてもよい。更に、任意の列数の陥凹コラム７ａをボトル１のデザインに、垂直軸線又は中心軸線２５に沿って略垂直方向に揃えられる平坦及び／又は浅リブ６ａ、６ｂの列数を増やすか、又は減らすことにより取り入れることができる。例えば、ボトル１は、１列だけという少ない列数の陥凹コラム７ａを有するか、又は２、３、４、５、６、７、８、又は９列の陥凹コラム７ａを含む最大１０列の陥凹コラム７ａを有することができ、これらの値は、区分範囲の値を含み、且つ上に挙げた値を含む。図示の実施形態では、陥凹コラム７ａを形成する平坦及び／又は浅リブ群６ｂからなるこれらの集合体は、本明細書において説明されるように、傾倒、潰れ、及び／又は延伸に対する耐性を確保することができる。図示の実施形態では、これらの陥凹コラム７ａは、結果的に生じる接線方向力又は圧縮力を壁に沿って底部２４ａに伝達し、且つボトル１の剛性を高める。ラベルパネルリブ２０ａの深リブ群２ｂは、普通の深さのリブ群のフープ強度と同等であるとすることができるフープ強度を確保することができる。これらの平坦及び／又は浅リブ部６ｂの場合と同じように、これらの深リブ部２ｂは、２、３、４、５、６、７、８、又は９個の深リブ部２ｂを含む１〜１０の範囲で変化する個数の深リブをラベルパネルリブ２０ａに含むことができ、これらの値は、区分範囲の値を含み、且つ上に挙げた値を含む。
【００８０】
深リブ２ａの深さＤｄは、１．１、１．２、１．３、１．４、１．５、１．６、１．６、１．７、１．８、１．９、２、２．１、２．２、２．３、２．４、２．５、２．６、２．７、２．８、又は２．９ミリメートルを含む１〜１０ミリメートルの範囲で、又は１〜９、１〜７、１〜５、又は１〜３ミリメートルの範囲で変化させることができ、これらの値は、区分範囲の値を含み、且つ上に挙げた値を含む。
【００８１】
ラベルパネルリブ２０ａ（すなわち、深リブ２ｂ）の深さＤＬは、０．６、０．７、０．８、０．９、１、１．１、１．２、１．３、１．４、１．５、１．６、１．７、１．８、１．９、２、２．１、２．２、２．３、２．４、２．５、２．６、２．７、２．８、２．９、３、３．１、３．２、３．３、３．４、３．５、３．６、３．７、３．８、３．９、４、４．１、４．２、４．３、４．４、４．５、４．６、４．７、４．８、又は４．９ミリメートルを含む０．５〜１０ミリメートルの範囲で、又は０．５〜９、０．５〜７、０．５〜５、又は０．５〜３ミリメートルの範囲で変化させることができ、これらの値は、区分範囲の値を含み、且つ上に挙げた値を含む。
【００８２】
中間リブ４ａの深さＤｍは、０．１、０．２、０．３、０．４、０．５、０．６、０．７、０．８、０．９、１、１．１、１．２、１．３、１．４、１．５、１．６、１．７、１．８、１．９、２、２．１、２．２、２．３、２．４、２．５、２．６、２．７、２．８、２．９、３、３．１、３．２、３．３、３．４、３．５、３．６、３．７、３．８、３．９、４．０、４．１、４．２、４．３、４．４、４．５、４．６、４．７、４．８、又は４．９ミリメートルを含む０．５〜５ミリメートルの範囲で変化させることができ、これらの値は、区分範囲の値を含み、且つ上に挙げた値を含む。中間リブ４ａの深さＤｍに対する深リブ２ａの深さＤｄの比は、２：１、３：１、４：１、５：１、６：１、７：１、８：１、９：１、１０：１、１１：１、１２：１、１３：１、１４：１、１５：１、１６：１、１７：１、１８：１、又は１９：１を含む１：１〜２０：１の範囲で変化させることができ、これらの値は、区分範囲の値を含み、且つ上に挙げた値を含む。
【００８３】
浅リブ６ａの深さＤｆは、０．１、０．２、０．３、０．４、０．５、０．６、０．７、０．８、０．９、１、１．１、１．２、１．３、１．４、１．５、１．６、１．７、１．８、１．９、２、２．１、２．２、２．３、又は２．４ミリメートルを含む０〜２．５ミリメートルの範囲で変化させることができ、これらの値は、区分範囲の値を含み、且つ上に挙げた値を含む。平坦及び／又は浅リブ６ａのＤｆに対する深リブ２ａのＤｄの比は、２：１、３：１、４：１、５：１、６：１、７：１、８：１、９：１、１０：１、１１：１、１２：１、１３：１、１４：１、１５：１、１６：１、１７：１、１８：１、１９：１、２０：１、２１：１、２２：１、２３：１、２４：１、２５：１、２６：１、２７：１、２８：１、又は２９：１を含む、又は１：１〜９０：１、１：１〜８０：１、１：１〜７０：１、１：１〜６０：１、１：１〜５０：１、１：１〜４０：１、１：１〜３０：１、１：１〜２０：１の範囲を含む１：１〜１００：１の範囲で変化させることができ、これらの値は、区分範囲の値を含み、且つ上に挙げた値を含み、Ｄｆがゼロであることにより比が無限大になる場合を含む。平坦及び／又は浅リブ６ａのＤｆに対する中間リブ４ａのＤｍの比は、２：１、３：１、４：１、５：１、６：１、７：１、８：１、９：１、１０：１、１１：１、１２：１、１３：１、１４：１、１５：１、１６：１、１７：１、１８：１、１９：１、２０：１、２１：１、２２：１、２３：１、又は２４：１を含む、又は１：１〜４０：１、１：１〜３０：１、１：１〜２０：１の範囲を含む１：１〜５０：１の範囲で変化させることができ、これらの値は、区分範囲の値を含み、且つ上に挙げた値を含み、Ｄｆがゼロであることにより比が無限大になる場合を含む。
【００８４】
平坦及び／又は浅リブ６ｂの深さＤｓは、０．１、０．２、０．３、０．４、０．５、０．６、０．７、０．８、０．９、１、１．１、１．２、１．３、１．４、１．５、１．６、１．７、１．８、１．９、２、２．１、２．２、２．３、又は２．４ミリメートルを含む０〜２．５ミリメートルの範囲で変化させることができ、これらの値は、区分範囲の値を含み、且つ上に挙げた値を含む。平坦及び／又は浅リブ６ｂのＤｓに対する深リブ２ａのＤｄの比は、２：１、３：１、４：１、５：１、６：１、７：１、８：１、９：１、１０：１、１１：１、１２：１、１３：１、１４：１、１５：１、１６：１、１７：１、１８：１、１９：１、２０：１、２１：１、２２：１、２３：１、２４：１、２５：１、２６：１、２７：１、２８：１、又は２９：１を含む、又は１：１〜９０：１、１：１〜８０：１、１：１〜７０：１、１：１〜６０：１、１：１〜５０：１、１：１〜４０：１、１：１〜３０：１、又は１：１〜２０：１の範囲を含む１：１〜１００：１の範囲で変化させることができ、これらの値は、区分範囲の値を含み、且つ上に挙げた値を含み、Ｄｓがゼロであることにより比が無限大になる場合を含む。平坦及び／又は浅リブ６ｂのＤｓに対する深リブ２ｂのＤＬの比は、２：１、３：１、４：１、５：１、６：１、７：１、８：１、９：１、１０：１、１１：１、１２：１、１３：１、１４：１、１５：１、１６：１、１７：１、１８：１、１９：１、２０：１、２１：１、２２：１、２３：１、２４：１、２５：１、２６：１、２７：１、２８：１、又は２９：１を含む、又は１：１〜９０：１、１：１〜８０：１、１：１〜７０：１、１：１〜６０：１、１：１〜５０：１、１：１〜４０：１、１：１〜３０：１、又は１：１〜２０：１の範囲を含む１：１〜１００：１の範囲で変化させることができ、これらの値は、区分範囲の値を含み、且つ上に挙げた値を含み、Ｄｓがゼロであることにより比が無限大になる場合を含む。平坦及び／又は浅リブ６ｂのＤｓに対する中間リブ４ａ、４ｂのＤｍの比は、２：１、３：１、４：１、５：１、６：１、７：１、８：１、９：１、１０：１、１１：１、１２：１、１３：１、１４：１、１５：１、１６：１、１７：１、１８：１、１９：１、２０：１、２１：１、２２：１、２３：１、又は２４：１を含む、又は１：１〜４０：１、１：１〜３０：１、又は１：１〜２０：１の範囲を含む１：１〜５０：１の範囲で変化させることができ、これらの値は、区分範囲の値を含み、且つ上に挙げた値を含み、Ｄｓがゼロであることにより比が無限大になる場合を含む。平坦及び／又は浅リブ６ｂのＤｓに対する深リブ２ｂのＤＬの比は、２：１、３：１、４：１、５：１、６：１、７：１、８：１、９：１、１０：１、１１：１、１２：１、１３：１、１４：１、１５：１、１６：１、１７：１、１８：１、１９：１、２０：１、２１：１、２２：１、２３：１、２４：１、２５：１、２６：１、２７：１、２８：１、又は２９：１を含む、又は１：１〜９０：１、１：１〜８０：１、１：１〜７０：１、１：１〜６０：１、１：１〜５０：１、１：１〜４０：１、１：１〜３０：１、又は１：１〜２０：１の範囲を含む１：１〜１００：１の範囲で変化させることができ、これらの値は、区分範囲の値を含み、且つ上に挙げた値を含み、Ｄｓがゼロであることにより比が無限大になる場合を含む。
【００８５】
図１７は、図３に示すボトル１の１つの実施形態の中心軸線２５に沿った断面を示している。図１７に示すように、平坦リブ又は陥凹コラム７ａは、これらの深リブ部２ａのボトル円周面の反対側に位置している（例えば、３列の陥凹コラム７ａを有する実施形態の場合）。図示の実施形態では、底部リブ２２は、ボトル１の円周面全体を通じて一定の断面を有する。Ｌｄ及びＬｓを含む種々の直径の特徴及び機能は、本明細書において説明される通りに利用することができる。
【００８６】
図１７に示すように、ストラップリブ４０ｃは、陥凹コラム７ａと垂直方向に揃うことができる。別のストラップリブ４０ｃは、深リブ部２ａ、２ｂと垂直方向に揃うことができる。図示の実施形態では、２個のストラップリブ４０ｃと陥凹コラム７ａが一体となって、耐圧性バンド９ｃを形成することができ、この耐圧性バンド９ｃは、これらの深リブ２ａの近傍の底部リブ２２からゲート５２を通過して、ラベル部分１０の上部、又は陥凹コラム７ａの上部まで非常に長く延在している。耐圧性バンド９ｃは、底部２４ｃ内をほぼ連続的に伝わってボトル１の側壁にまで伝達される内圧に耐える耐性を確保して、例えば本明細書において説明される延伸、及び／又は底部の広がりを阻止することができる。幾つかの実施形態では、他のストラップリブ４０ｃは別の陥凹コラム７ａと垂直方向に揃うことができ、この場合、例えばボトル１は６列の陥凹コラム７ａを有する。耐圧性バンドは、２列の陥凹コラム及び２個のストラップリブを組み合わせることにより形成することができる。耐圧性バンドは、ボトル１の一方の側面のラベル部分１０の上部からボトル１の一方の側面の側壁に沿って下方に向かって行ってゲート５２を通過し、ボトル１の他方の側面の側壁に沿って上方に向かって行って、ボトル１の他方の側面のラベル部分１０の上部まで延在することができるので耐圧性を、本明細書において説明される通りに、且つボトル１の長手方向外周面全体に亘って（中心軸線２５に沿った側壁の位置で、且つ中心軸線を通る底部２４ｃの位置で）略連続して確保することができる。例えば、図２５は、このような実施形態を示している。
【００８７】
図１８は、図１６Ａに示す底部２４ａの１つの実施形態の中心軸線２５に沿った断面を示している。図１８に示すように、底部２４ａはストラップリブ４０ａを有し、ストラップリブ４０ａは、底部端５６ａを起点として、正の上方傾斜角θ１ａで（ボトル１の底部２４ａの座面に対して）ボトル１の側壁に向かって延在している。異なる表現をすると、ストラップリブ４０ａは、上方に向かって延在してボトル１の側壁に接続される手前では、底部端５６ａ表面を起点として、座面に向かって延在していない、又は座面に、より接近して行くことがない。座面に対してストラップリブ４０ａがボトル１の側壁に向かって直ぐに、又はほぼ直ぐに上方／正傾斜角θ１ａで延出することにより、内圧に起因するゲート５２及びドーム５４の撓みを阻止し易くすることができる。本明細書において説明されるように、上方／正傾斜角θ１ａで延在してボトル１の側壁に側壁端４２ａで接続されることにより、内圧に起因するゲート５２及びドーム５４の撓みを更に阻止し易くすることができる。幾つかの実施形態では、角度θ１ａは、最初はゼロとすることができ、そしてストラップリブが底部端５６ａから離れて側壁端４２ａに向かって進むにつれて、半径部Ｒ１ａに沿って正方向に増加する。幾つかの実施形態では、底部端５６ａを起点とする角度θ１ａが、より大きくなると、耐圧性がより高くなる。幾つかの実施形態では、角度θ１ａは、５〜５５度、１０〜５５度、１５〜５０度、２０〜４５度、２５〜３５度、２０〜３０度を含み、且つ最大４５度、最大４０度、最大３５度、最大３０度、最大２５度、及び最大２０度を含む０〜６０度の範囲で変化させることができ、これらの値は、区分範囲の値を含み、且つ上に挙げた値を含む。幾つかの実施形態では、角度θ１ａは、最初は、底部端５６ａを基準とする負の値とすることができ、この場合、本明細書において説明されるように、且つ本明細書において開示される特徴及び機能の範囲から逸脱しない範囲で、ストラップリブ４０ａの半径部（湾曲部）によって、ストラップリブ４０ａを側壁端４２ａに向かって湾曲させることができる。
【００８８】
ストラップリブ４０ａは、底部端５６ａから側壁端４２ａまで、１つ以上の半径部に沿って延在する。図１８に示すように、ストラップリブ４０ａは底部端５６ａから半径Ｒ１で延在し、そして半径Ｒ２ａに移行して、底部リブ２２の近傍の、又は底部リブ２２の位置の側壁端４２ａで終端する。幾つかの実施形態では、半径Ｒ１ａは、２５〜７５、３０〜６５、３５〜６０、４０〜５５を含み、且つ５０ミリメートルを含む２０〜８０ミリメートルの範囲で変化させることができ、これらの値は、区分範囲の値を含み、且つ上に挙げた値を含み、この場合、例えばボトル１の直径（Ｌｄ及び／又はＬｓ）は、３０〜４０、３０〜５０、４０〜６０、５０〜７０、６０〜８０、４０〜１９０、５０〜１８０、６０〜１７０、７０〜１６０、８０〜１５０、９０〜１４０、１００〜１３０、及び１１０〜１２０ミリメートルを含む３０〜２００ミリメートルの範囲で変化させることができ、これらの値は、区分範囲の値を含み、且つ上に挙げた値を含む。ボトル直径に対する半径Ｒ１の比は、７：１、６：１、５：１、４：１、３：１、２：１、１：１、１：２、１：３、１：４、１：５、１：６、１：７、１：８、及び１：９を含む８：１〜１：１０の範囲で変化させることができ、これらの値は、区分範囲の値を含み、且つ上に挙げた値を含む。幾つかの実施形態では、半径Ｒ２ａは、５〜１０、５〜２０、５〜１０、１〜１０、１〜５、及び１０〜２０ミリメートルを含む１〜２５ミリメートルの範囲で変化させることができ、これらの値は、区分範囲の値を含み、且つ上に挙げた値を含み、この場合、例えばボトル１の直径（Ｌｄ及び／又はＬｓ）は、３０〜４０、３０〜５０、４０〜６０、５０〜７０、６０〜８０、４０〜１９０、５０〜１８０、６０〜１７０、７０〜１６０、８０〜１５０、９０〜１４０、１００〜１３０、及び１１０〜１２０ミリメートルを含む３０〜２００ミリメートルの範囲で変化させることができ、これらの値は、区分範囲の値を含み、且つ上に挙げた値を含む。ボトル直径に対する半径Ｒ２ａの比は、１：１０、１：２０、１：３０、１：４０、１：５０、１：６０、１：７０、１：８０、１：９０、１：１００、１：１２０、１：１３０、１：１４０、１：１５０、１：１６０、１：１７０、１：１８０、１：１９０を含む１：１〜１：２００の範囲で変化させることができ、これらの値は、区分範囲の値を含み、且つ上に挙げた値を含む。上記範囲及び／又は比は、一例として提示されている。幾つかの実施形態では、ストラップリブ４０ａの半径、及び／又はボトル又は他の種類の容器の直径は、例えば樽型容器におけるように、上記範囲及び／又は比よりも大きくすることができる。
【００８９】
幾つかの実施形態では、半径Ｒ１ａ及び／又は半径Ｒ２ａは、非常に大きい、又は無限大である。別の表現をすると、ストラップリブ４０ａは、底部端５６ａから側壁端４２ａに向かって真っ直ぐに、又はほぼ真っ直ぐにすることができる。真っ直ぐなストラップリブは、更に大きな圧力に耐えることができる。１つ以上の曲率半径をストラップリブに付与することにより、ブロー成形法を向上させて、ブロー成形が不完全なボトルの耐圧性を低くしてしまうのを防止し易くすることができる。幾つかの実施形態では、ストラップリブ４０ａは、例えば図１９を参照して説明されるように、湾曲部分及び直線部分からなる複合リブである。
【００９０】
幾つかの実施形態では、半径Ｒ１ａから半径Ｒ２ａへの移行４１ａ（又は、ストラップリブが２つ以上の半径を有する場合の１つ以上の移行）は、ストラップリブ４０ａに沿ったいずれの箇所でも生じ得る。図１８に示すように、半径Ｒ１ａから半径Ｒ２ａへの移行４１ａは、高さＨ１ａの位置で生じ得る。幾つかの実施形態では、高さＨ１ａは、１０〜２５及び１５〜２０の範囲を含む５〜３０ミリメートルの範囲で変化させることができ、これらの値は、区分範囲の値を含み、且つ上に挙げた値を含み、この場合、例えばボトル１の高さは、８０〜２９０、９０〜２７０、１００〜２６０、１１０〜２５０、１２０〜２４０、１３０〜２３０、１４０〜２２０、１５０〜２１０、１６０〜２００、１７０〜１９０ミリメートルを含む６５〜３００ミリメートルの範囲で変化させることができ、これらの値は、区分範囲の値を含み、且つ上に挙げた値を含む。ボトル高さに対する高さＨ１ａの比は、１：４、１：５、１：６、１：７、１：８、１：９、１：１０、１：１１、１：１２、１：１３、１：１４、１：１５、１：２０、１：２５、１：３０、１：４０、１：４５、１：５０、及び１：５５を含む１：３〜１：６０の範囲で変化させることができ、これらの値は、区分範囲の値を含み、且つ上に挙げた値を含む。上記範囲及び／又は比は、一例として提示されている。幾つかの実施形態では、高さＨ１ａ、及び／又はボトル又は他の種類の容器の高さは、例えば樽型容器におけるように、上記範囲及び／又は比よりも大きくすることができる。
【００９１】
図１９は、図１７に示す底部２４ｂの１つの実施形態の中心軸線２５に沿った断面を示している。図１９に示すように、底部２４ｂはストラップリブ４０ｂを有し、ストラップリブ４０ｂは、側壁端５６ｂを起点として、正の上方傾斜角θ１ｂで（ボトル１の底部２４ｂの座面に対して）ボトル１の側壁に向かって延在している。異なる表現をすると、ストラップリブ４０ａは、上方に向かって延在してボトル１の側壁に接続される手前では、座面に向かって延在していない、又は座面に、より接近して行くことがない。座面に対してストラップリブ４０ａがボトル１の側壁に向かって直ぐに、又はほぼ直ぐに上方／正傾斜角θ１ｂで延出することにより、内圧に起因するゲート５２及びドーム５４の撓みを阻止し易くすることができる。本明細書において説明されるように、側壁端４２ｂのボトル１の側壁との接続部に上方／正傾斜角θ１ｂで合体することにより、内圧に起因するゲート５２及びドーム５４の撓みを更に阻止し易くすることができる。幾つかの実施形態では、角度θ１ｂは、最初はゼロとすることができ、そしてストラップリブが底部端５６ｂから離れて側壁端４２ｂに向かって進むにつれて、半径部Ｒ１ｂに沿って正方向に増加する。幾つかの実施形態では、底部端５６ｂを起点とする角度θ１ｂが、より大きくなると、耐圧性がより高くなる。幾つかの実施形態では、角度θ１ｂは、５〜５０度、１０〜５５度、１５〜５０度、２０〜４５度、２５〜３５度、２０〜３０度を含み、且つ最大４５度、最大４０度、最大３５度、最大３０度、最大２５度、及び最大２０度を含む０〜６０度の範囲で変化させることができ、これらの値は、区分範囲の値を含み、且つ上に挙げた値を含む。幾つかの実施形態では、角度θ１ｂは、最初は、底部端５６ｂを基準とする負の値とすることができ、この場合、本明細書において説明されるように、且つ本明細書において開示される特徴及び機能の範囲から逸脱しない範囲で、ストラップリブ４０ｂの半径部（湾曲部）によって、ストラップリブ４０ｂを側壁端に向かって湾曲させることができる。
【００９２】
ストラップリブ４０ｂは、底部端５６ｂから側壁端４２ｂまで、１つ以上の半径部に沿って延在する。図１９に示すように、ストラップリブ４０ｂは底部端５６ｂから半径Ｒ１ｂで延在し、そして半径Ｒ２ｂに底部リブ２２を通過して移行４１ｂし、続いて直線部分４５に移行することにより、本明細書において説明されるように、第１浅リブ６ａの近傍の、位置の、第１浅リブ６ａ内の側壁端４２ｂで終端する。幾つかの実施形態では、半径Ｒ１ｂは、２５〜８０、３０〜７０、３５〜６５、４０〜６０、４５〜５５を含み、且つ５０ミリメートルを含む２０〜８５ミリメートルの範囲で変化させることができ、これらの値は、区分範囲の値を含み、且つ上に挙げた値を含み、この場合、例えばボトル１の直径（Ｌｄ及び／又はＬｓ）は、３０〜４０、３０〜５０、４０〜６０、５０〜７０、６０〜８０、４０〜１９０、５０〜１８０、６０〜１７０、７０〜１６０、８０〜１５０、９０〜１４０、１００〜１３０、及び１１０〜１２０ミリメートルを含む３０〜２００ミリメートルの範囲で変化させることができ、これらの値は、区分範囲の値を含み、且つ上に挙げた値を含む。ボトル直径に対する半径Ｒ１ｂの比は、８：１、７：１、６：１、５：１、４：１、３：１、２：１、１：１、１：２、１：３、１：４、１：５、１：６、１：７、１：８、及び１：９を含む９：１〜１：１０の範囲で変化させることができ、これらの値は、区分範囲の値を含み、且つ上に挙げた値を含む。幾つかの実施形態では、半径Ｒ２ｂは、５〜２５、５〜２０、５〜１０、１〜１０、及び１０〜２０ミリメートルを含む０〜３０ミリメートルの範囲で変化させることができ、これらの値は、区分範囲の値を含み、且つ上に挙げた値を含み、この場合、例えばボトル１の直径（Ｌｄ及び／又はＬｓ）は、３０〜４０、３０〜５０、４０〜６０、５０〜７０、６０〜８０、４０〜１９０、５０〜１８０、６０〜１７０、７０〜１６０、８０〜１５０、９０〜１４０、１００〜１３０、及び１１０〜１２０ミリメートルを含む３０〜２００ミリメートルの範囲で変化させることができ、これらの値は、区分範囲の値を含み、且つ上に挙げた値を含む。ボトル直径に対する半径Ｒ２ｂの比は、１：１０、１：２０、１：３０、１：４０、１：５０、１：６０、１：７０、１：８０、１：９０、１：１００、１：１２０、１：１３０、１：１４０、１：１５０、１：１６０、１：１７０、１：１８０、１：１９０を含む１：１〜１：２００の範囲で変化させることができ、これらの値は、区分範囲の値を含み、且つ上に挙げた値を含む、又は半径Ｒ２ｂがゼロになる場合の無限大を含む。上記範囲は、一例として提示されている。幾つかの実施形態では、ストラップリブの半径、及び／又はボトル又は他の種類の容器の直径は、例えば樽型容器におけるように、上記範囲及び／又は比よりも大きくすることができる。
【００９３】
幾つかの実施形態では、半径Ｒ１ｂ及び／又は半径Ｒ２ｂは、非常に大きい、又は無限大である。別の表現をすると、ストラップリブ４０ｂは、底部端５６ｂから側壁端４２ｂに向かって真っ直ぐに、又はほぼ真っ直ぐにすることができる。真っ直ぐなストラップリブは、更に大きな圧力に耐えることができる。１つ以上の曲率半径をストラップリブに付与することにより、ブロー成形法を向上させて、ブロー成形が不完全なボトルの耐圧性を低くしてしまうのを防止し易くすることができる。幾つかの実施形態では、ストラップリブ４０ｂは、本明細書において説明されるように、底部側壁端４２ｂから底部端５６ｂに至るストラップリブ４０ｂに沿ったいずれかの箇所に配置される１つよりも多くの直線部分４５を有する。これらの直線部分４５は、ストラップリブ４０ｂの湾曲部分及び／又は他の直線部分に接続されるように配置することができる。これらの直線部分４５は、側壁端４２ｂから底部端５６ｂに至るストラップリブ４０ｂの略全長を含む任意の長さとすることができる。
【００９４】
幾つかの実施形態では、半径Ｒ１ｂから半径Ｒ２ｂへの移行部４１ｂ（又は、ストラップリブが２つ以上の半径を有する場合の１つ以上の移行部）は、ストラップリブ４０ｂに沿ったいずれの箇所にも配置することができる。図１９に示すように、半径Ｒ１ｂから半径Ｒ２ｂへの移行４１ｂは、高さＨ１ｂの位置で生じる。幾つかの実施形態では、高さＨ１ｂは、１０〜３０、１５〜２５、及び１５〜２０ミリメートルの範囲を含む５〜３５ミリメートルの範囲で変化させることができ、これらの値は、区分範囲の値を含み、且つ上に挙げた値を含み、この場合、例えばボトル１の高さは、８０〜２９０、９０〜２７０、１００〜２６０、１１０〜２５０、１２０〜２４０、１３０〜２３０、１４０〜２２０、１５０〜２１０、１６０〜２００、１７０〜１９０ミリメートルを含む６５〜３００ミリメートルの範囲で変化させることができ、これらの値は、区分範囲の値を含み、且つ上に挙げた値を含む。ボトル高さに対する高さＨ１ｂの比は、１：３、１：４、１：５、１：６、１：７、１：８、１：９、１：１０、１：１１、１：１２、１：１３、１：１４、１：１５、１：２０、１：２５、１：３０、１：４０、１：４５、１：５０、及び１：５５を含む１：２〜１：６０の範囲で変化させることができ、これらの値は、区分範囲の値を含み、且つ上に挙げた値を含む。上記範囲及び／又は比は、一例として提示されている。幾つかの実施形態では、高さＨ１ｂ、及び／又はボトル又は他の種類の容器の高さは、例えば樽型容器におけるように、上記範囲及び／又は比よりも大きくすることができる。
【００９５】
幾つかの実施形態では、半径部Ｒ２ｂ（又は、幾つかの実施形態におけるＲ１ｂ）から直線部分４５への移行部は、ストラップリブ４０ｂに沿ったいずれかの箇所に配置することができる。図１９に示すように、直線部分４５（又は、幾つかの実施形態におけるＲ２ｂ）から側壁端４２ｂへの移行は、高さＨ２ｂの位置で生じる。幾つかの実施形態では、高さＨ２ｂは、１５〜５５、２０〜５０、２５〜４５、及び３０〜４０ミリメートルの範囲を含む１０〜６０ミリメートルの範囲で変化させることができ、これらの値は、区分範囲の値を含み、且つ上に挙げた値を含み、この場合、例えばボトル１の高さは、８０〜２９０、９０〜２７０、１００〜２６０、１１０〜２５０、１２０〜２４０、１３０〜２３０、１４０〜２２０、１５０〜２１０、１６０〜２００、１７０〜１９０ミリメートルを含む６５〜３００ミリメートルの範囲で変化させることができ、これらの値は、区分範囲の値を含み、且つ上に挙げた値を含む。ボトル高さに対する高さＨ２ｂの比は、１：３、１：４、１：５、１：６、１：７、１：８、１：９、１：１０、１：１１、１：１２、１：１３、１：１４、１：１５、１：２０、１：２５、１：３０、１：４０、１：４５、１：５０、及び１：５５を含む１：２〜１：６０の範囲で変化させることができ、これらの値は、区分範囲の値を含み、且つ上に挙げた値を含む。幾つかの実施形態では、直線部分４５は、ボトル側壁（又は、中心軸線）に対して角度θ２ｂで半径部Ｒ２ｂから真っ直ぐに延在してボトル１の側壁に入り込んでいる。角度θ２ｂは、１、２、３、４、５、６、７、８、９、１０、１１、１２、１３、及び１４度を含む０〜１５度の範囲で変化させることができ、これらの値は、区分範囲の値を含み、且つ上に挙げた値を含む。上記範囲及び／又は比は、一例として提示されている。幾つかの実施形態では、高さＨ２ｂ、及び／又はボトル又は他の種類の容器の高さは、例えば樽型容器におけるように、上記範囲及び／又は比よりも大きくすることができる。
【００９６】
図１９Ａは、図５Ａに示す底部２４ｄの１つの実施形態の中心軸線２５に沿った断面を示している。図１９Ａに示すように、底部２４ｄのストラップリブ４０ｄは、底部端５６ｄを起点として、底部２４ｄの座面に略平行に延び、次に第１半径Ｒ１ｄを有する湾曲経路に沿って、正の傾斜が漸増するように延びる。高さＨ１ｄの位置では、ストラップリブ４０ｄの湾曲経路の半径は、延在して直線部分４５に入り込む手前で、第２半径Ｒ２ｄに、正の傾斜が漸増するように変化する。高さＨ２ｄの位置では、直線部分４５は、本明細書において説明されるように、側壁端４２ｄに接続される。第１半径Ｒ１ｄ及び第２半径Ｒ２ｄだけでなく、これらの半径に対応する正の傾斜は、上に挙げた種々の値の適切な範囲のうちのいずれかの範囲に収まる寸法値を有することができる。しかしながら、好適には、半径Ｒ１ｄ及び半径Ｒ２ｄを組み合わせて連携させることによりストラップリブ４０ｄ、従って底部２４ｄに、なだらかに徐々に変化する球面形状を付与することができる。本明細書において説明されるように、ボトル１の球面形状部は、内圧をより良好に吸収する。実験から、図５Ａ及び図１９Ａに示す底部２４ｄの球面形状は、図６Ａに示す形状が耐えることができる内圧の少なくとも２倍の内圧に耐えることができる。
【００９７】
図１９Ａに示すストラップリブ４０ｄは、移行湾曲部を、第１半径部Ｒ１ｄと第２半径部Ｒ２ｄとの間に含んでいないし、第２半径部Ｒ２ｄと直線部分４５との間にも含んでいないことが分かるであろう。しかしながら、他の実施形態では、Ｒ１ｄ及びＲ２ｄ以外の半径を有する移行湾曲部は、半径Ｒ１ｄを有するストラップリブ４０ｄの湾曲部と半径Ｒ２ｄを有するストラップリブ４０ｄの湾曲部との間に配置することができる。更に他の実施形態では、移行湾曲部は、第２半径Ｒ２ｄを有するストラップリブ４０ｄの湾曲部と直線部分４５との間に配置することができる。これらの移行湾曲部は、これまでに挙げた種々の値の適切な範囲のうちのいずれかの範囲に収まる寸法値を有することができ、これらの寸法値から、ストラップリブ４０ｄ、従って底部２４ｄの球面形状を更に作成することができると考えられる。
【００９８】
図２０は、図１８及び図１９に示す底部２４ａ、２４ｂを重ね合わせた実施形態の中心軸線２５に沿った断面を示している。本明細書において説明されるように、特に図１８及び図１９を参照するに、ストラップリブ４０ａ、４０ｂはともに、ドーム５４及び／又はゲート５２から、底部端５６ａ、５６ｂを起点とする正の上方傾斜角でボトル１の側壁に向かって延在している。図２０に示すように、ボトル側壁に沿って更に上方に延在するストラップリブ４０ｂは底部端５６ａ、５６ｂから、ストラップリブ４０ａの正の上方角度よりも大きな正の上方角度で、ボトル側壁に向かって側壁端４２ｂまで延在することができる。本明細書において説明されるように、ストラップリブ４０ｂは、ストラップリブ４０ａの曲率半径Ｒ１ａよりも大きい曲率半径Ｒ１ｂを有することにより、ボトル側壁に沿って更に上方に延在する。
【００９９】
図２１は、ボトル３の１つの実施形態の上部斜視図を示している。ボトル３は、４つの壁を有する略方形のボトルである。ボトル３の４つのコーナーは、丸みが付いていて、使用を容易にし、且つブロー処理を容易にしている。ボトル３は、把持部８まで延在する底部２４ｅを有する。把持部８は、複数の把持部リブ３ｂ（すなわち、側壁リブ群）を備える。図２１に示すように、把持部リブ群３ｂ（把持部８に配置される）は、リブが深リブ２ｃから離れて、又は移行して、以下に更に詳細に説明される平坦及び／又は浅リブ６ｃになることにより、深さを変えることができる。
【０１００】
図２１を参照するに、ラベル部分１０は、把持部８に接続され、且つ１つ以上のラベルパネルリブ２０ｂ（すなわち、側壁リブ群）を備える。ラベルパネル部分１０は、釣鐘状部１６に接続される肩部１８に移行する。釣鐘状部１６は、貝殻形状部（図示の形状部を含む）又は他のデザイン形状部を含むことができる、又は釣鐘状部１６は、なだらかであり、且つ全体的に装飾が施されていない。釣鐘状部１６は、終端部１２に接続されるネック部１４に接続される。ラベル部分１０から、釣鐘状部１６は上方に、且つ中心軸線２５に対して半径方向内側に延びて、ネック部１４及び終端部１２に至る。終端部１２は、蓋を受け入れて、内容物をボトル３に密封するように適合させることができる。終端部１２は開口部１１を画定し、開口部１１は、ボトル３の内部にまで延びて、飲料及び／又は他の内容物を収容する。内部は、終端部１２、ネック部１４、釣鐘状部１６、肩部１８、ラベル部分１０、把持部８、又は底部２４ｅのうちの少なくとも１つとして画定することができる。
【０１０１】
把持部８及びラベル部分１０を底部２４ｅと釣鐘状部１６との間に備え、且つほぼ中心軸線２５に沿って延びて、ボトル１の内部の少なくとも一部を画定する略垂直壁（又は、垂直側壁）は、ボトル３の側壁であると考えることができる。幾つかの実施形態では、側壁は、釣鐘状部１６、肩部１８、及び／又は底部２４ｅを含むことができる。側壁の外周面は、内部の中心軸線２５と略直角になっている。側壁は、ボトル３の内部の少なくとも一部を画定する。終端部１２、ネック部１４、釣鐘状部１６、肩部１８、ラベル部分１０、把持部８、及び底部２４ｅはそれぞれ、部分に対応する該当する外周面又は周面（中心軸線２５と略直角になっている）を画定することができる。例えば、ラベル部分１０は、ラベル部分の外周面を有する。別の例として、把持部８は把持部の外周面を有する。
【０１０２】
図２１に図示される実施形態では、把持部リブ群３ｂの各把持部リブ３ｂは、深リブ部２ｃを備え、この深リブ部２ｃは、中間リブ部に移行し、次に平坦及び／又は浅リブ部６ｃに移行する。図２１が示すように、ラベルパネルリブ群２０ｂの各ラベルパネルリブ２０ｂは、深リブ部２ｄを備え、この深リブ部２ｄは、中間リブ部に移行し、次に平坦及び／又は浅リブ部６ｄに移行する。種々の深さの把持部リブ３ｂは、深リブ部２ｃから中間リブ／部に移行し、次に平坦及び／又は浅リブ部６ｂに移行する。種々の深さのラベルパネルリブ２０ｂは、深リブ２ｄから中間リブ／部に移行し、次に平坦及び／又は浅リブ６ｄに移行する。１つ以上の平坦及び／又は浅リブ６ｃ、６ｄは、等価の陥凹コラム群７ｃを、複数の平坦及び／又は浅リブ６ｃ、６ｄが、図２１に示すように、ボトル３の垂直軸線又は中心軸線２５に沿って略垂直方向に揃えられる箇所に形成する。複数の深リブ２ｃ、２ｄは、図２１に示すように、ボトル３の垂直軸線又は中心軸線２５に沿って略垂直方向に揃えられている。
【０１０３】
幾つかの実施形態では、ラベルパネルリブ群２０ｂの平坦及び／又は浅リブ６ｄは、把持部リブ群３ｂの平坦及び／又は浅リブ６ａと垂直方向に揃っていないので、ラベル部分１０が、一組の陥凹コラム群を有し、且つ把持部８が、別の組の陥凹コラム群を有するようになる。従って、ラベル部分１０の陥凹コラムは、把持部８の陥凹コラムと垂直方向に揃えないようにすることができる。幾つかの実施形態では、ボトル３は、陥凹コラムを把持部８にのみ、又はラベルパネル部分１０にのみ有することができる。
【０１０４】
平坦及び／又は浅リブ６ａ、６ｂが４列に揃えられている構成の図示の実施形態では、ボトルは、それに対応して、４列の陥凹コラム７ｃを方形ボトルの各平坦壁に有する。４列の陥凹コラム７ｃは、ボトル３の外周面の周りに等間隔で離間して配置することができ、且つ互いにボトル３の反対側に位置している。４列の陥凹コラム７ｃが等間隔で離間して配置される場合、これらの陥凹コラム７ｃは、ボトル３の外周面の周りに９０度ごとに離間して配置される。４列の陥凹コラム７ｃは、ボトル３の側壁の平坦部分に配置される。任意の列数の陥凹コラム７ｃは、ボトル３のデザインに、垂直軸線又は中心軸線２５に沿って略垂直方向に揃えられる平坦及び／又は浅リブ６ｃ、６ｄの列数を増やすか、又は減らすことにより取り入れることができる。例えば、ボトルは、わずか１列だけの陥凹コラム７ｃを有することができる、又は２、３、４、５、６、７、８、又は９列の陥凹コラム７ｃを含む最大１０列の陥凹コラム７ｃを有することができ、これらの値は、区分範囲の値を含み、且つこれまでに挙げた値を含む。本明細書において説明されるように、陥凹コラム７ｃを形成する平坦及び／又は浅リブ６ｃ、６ｄからなる集合体は、傾倒、潰れ、及び／又は延伸に対する耐性を確保する。これらの陥凹コラム７ｃは、結果的に生じる接線方向力又は圧縮力を壁に沿って底部２４ｅに伝達し、且つボトル３の剛性を高める。
【０１０５】
方形ボトルの形状は、フープ強度をボトル３に、４つのコーナーを有することにより付与する。把持部リブ３ｂ及びラベルパネルリブ２０ｂの深リブ２ｃ、２ｄはフープ強度を、フープ強度を更に高めることにより補完することができる。図２２に示すように、深リブ２ｃ、２ｄは、ボトル３の側壁のこれらのコーナーに配置することができる。これらのコーナーでは、深リブ２ｃ、２ｄは、ボトル３の平坦側壁部分の撓みを阻止することができる。これらの平坦側壁部分は、膜として機能することができ、そしてボトル３の内部が加圧されている状態で、半径方向外側に曲がることができる。ボトル３のこれらのコーナーに配置される深リブ２ｃ、２ｄは、本明細書において説明される水平ストラップリブとして機能することにより、内圧による変形を阻止する。これらのコーナーに配置される深リブ２ｃ、２ｄは、例えばユーザがボトルを把持するときのような外部応力及び又は外力に起因する壁の平坦部分の半径方向内側への撓みを阻止することもできる。深リブ２ｃ、２ｄは、平坦側壁部分の内側への撓みを、ボトル３の内部が加圧されている状態で、又はボトル３の内部が加圧されていない状態で阻止することができる。このように、深リブ２ｃ、２ｄは、方形ボトル３が丸みを帯びるのを防止し易くすることができる。
【０１０６】
底部リブ２２、把持部リブ３ｂ、及び／又はラベルパネルリブ２０ｂを含む複数のリブは、例えばこれらには限定されないが、把持部８及び／又はラベル部分１０などボトルのいずれかのリブ収容部分の１０センチメートルごとに、１〜３０個の範囲で変化する個数のリブを含むことができ、例えば１０センチメートルごとに、１、２、３、４、５、６、７、８、９、１０、１１、１２、１３、１４、１５、１６、１７、１８、１９、２０、２１、２２、２３、２４、２５、２６、２７、２８、又は２９個のリブを含み、これらの値は、区分範囲の値を含み、且つこれまでに挙げた値を含む。リブ群の個数を測定するために使用される前述の１０センチメートル部分は、長さが実際に１０センチメートルである必要はない。そうではなく、１０センチメートルは、複数のリブが占める割合を示すために例示的に使用される。
【０１０７】
図２２は、ボトル３の１つの実施形態の側面図を示している。図２２に示すように、把持部リブ３ｂは、ボトル３の外周面の周りに角張って形成することができる。ラベルパネルリブ２０ｂは、ボトル３の外周面の周りにそのものに設けることができる。底部２４ｅはストラップリブ４０ｅを有する。ストラップリブ４０ｅは、本明細書において説明されるように、ボトル３の側壁に沿って終端する、又は底部２４ｅからボトル３の側壁への移行部の近傍で、又は移行部の位置で終端する側壁端４２ｅを有する。底部２４ｅは荷重用リブ４４ｅを有する。図２２に示すように、底部２４ｅは、１つの荷重用リブ４４ａをストラップリブ４０ａ１つおきに有する。幾つかの実施形態では、底部２４ｅは、２、３、４、及び５個の荷重用リブ４４ａを２つのストラップリブ４０ａの間に有することができる。荷重用リブ４４ｅは側壁端４３ｅを有し、この側壁端４３ｅは、底部２４ｅ内で終端する、又は底部２４ｅからボトル３の側壁への移行部の近傍で、又は移行部の位置で終端する。図２２に示すように、荷重用リブ４４ｅの側壁端４３ｅは、ストラップリブ４０ｅの側壁端４２ｅよりも中心軸線２５に沿って垂直方向に低く位置することができる。幾つかの実施形態では、荷重用リブ４４ｅの側壁端４３ｅは、ボトル３の側壁に沿って、ストラップリブ４０ｅの側壁端４２ｅと同じ高さで終端させることができる。底部２４ｅは、ストラップリブ４０ｅと荷重用リブ４４ｅとの間に形成される複数の脚部４５ｅを有する。
【０１０８】
ストラップリブ４０ｅは、本明細書において説明されるように、ストラップリブ４４ｅよりも相対的に大きく、且つ深い。図２２に示すように、ストラップ底部リブ４０ｅは、陥凹コラム７ｃと垂直方向に揃うことができる。ボトル３が、４列の陥凹コラム７ｃを有する場合、底部２４ｅは、４個のストラップリブ４０ｅを有することができる。これらのストラップリブ４０ｅは、ボトル３の周面の周りに等間隔で離間して配置される。４個のストラップリブ４０ｅが等間隔で離間して配置される場合、これらのストラップリブ４０ｅは、ボトル周面の周りに９０度ごとに配置される。これらの荷重用リブ４４ｅは、陥凹コラム７ｃと陥凹コラム７ｃとの間の把持部リブ３ｂと垂直方向に揃うことができる。図２２に示すように、これらの荷重用リブ４４ｅは、深リブ６ｃ、６ｄと垂直方向に揃うことができる。幾つかの実施形態では、これらのストラップリブ４０ｅは、これらの陥凹コラム７ｃと垂直方向に揃えないようにすることができる。幾つかの実施形態では、これらのストラップリブ４０ｅは、ボトル周面の周りに不等間隔で離間して配置することができる。幾つかの実施形態では、底部２４ａは、陥凹コラム７ｅの列数よりも多くの、又は少ないストラップリブ４０ａを有することができる。
【０１０９】
ストラップリブ４０ｅの側壁端４２ｅは、陥凹コラム７ｃの略中心（浅及び／又は平坦リブ２ｃ、２ｄの中心点）と垂直方向に揃っている、又は陥凹コラム７ｃの略中心を垂直方向に指している。図２２に示すように、ストラップリブ４０ｅは、側面から透視して見たときに凹部４６ｅを形成する。ストラップリブ４０ｅは、本明細書において説明されるように、底部２４ｅの略中心部から（中心軸線２５から）延在することができる。ストラップリブ４０ｅは、側壁の陥凹コラム７ｃと底部２４ｅの中心部との間のストラップとして機能することができる。図２２に示すように、ストラップリブ４０ｅは、脚部４５ｅの垂直方向高さまで延在することなく、ボトル３の側壁から底部２４ａの中心に至る更に真っ直ぐな、且つより短い経路を形成する。本明細書において説明されるように、これらのストラップリブ４０ｅはこのようにして、非常に高い耐圧性を持つ底部２４ｅとなる。ストラップリブ４０ｅは、陥凹コラム７ｃを含む側壁と底部２４ｅの中心部との間の力及び応力の連結部となる。
【０１１０】
図２３は、底部２４ｅの１つの実施形態の底面斜視図を示している。底部２４ｅは、本明細書において説明されるように、ストラップリブ４０ｅと、荷重用リブ４４ｅと、を有する。底部２４ｅはゲート５２を有する。図２２に示すように、底部２４ｅはドーム５４を有することができる。ストラップリブ４０ｅは底部端５６ｅを有し、この底部端５６ｅは、ドーム５４の近傍で、ドーム５４の位置で、又はドーム５４内で終端する。ストラップリブ４０ｅはリブ側壁（すなわち、谷壁）４８ｅを有し、このリブ側壁４８ｅは、ストラップリブ４０ｅを底部２４ｅの一部、及び底部２４ａの脚部４５ｅの一部に接続する。リブ側壁４８ａは、底部２４ｅ及び脚部４５ｅになだらかに徐々に移行する。なだらかに徐々に移行する。リブ側壁４８ｅの位置における、且つリブ側壁４８ｅの近傍における耐内圧性を確保することができるが、その理由は、ボトル１がより球面形状的になって、内圧をより良好に吸収することができるからである。ストラップリブ４０ａは、本明細書において説明されるように、荷重用リブ５８ｅよりも底部２４ｅ内で相対的に深くなって応力伝達性及び耐圧性を確保することができる。
【０１１１】
荷重用リブ４４ｅは底部端５８ｅを有し、この底部端５８ｅは、ドーム５４の位置で、ドーム５４の近傍で、又はドーム５４内で終端する。図２２に示すように、荷重用リブ４４ｅの底部端５８ｅは、ストラップリブ４０ｅの底部端５６ｅの手前で終端することができる。荷重用リブ４４ｅの底部端５８ｅは、ドーム５４に至る手前の底部２４ｅの壁部分で終端することができる。荷重用リブ４４ｅはストラップリブ４０ｅよりも浅い。図２２に示すように、荷重用リブ４４ｅは、ストラップリブ４０ａについて本明細書で説明されたのと同様のリブ側面５１ｅ形状部を有することができる。荷重用リブ４４ｅのリブ側面５１ｅは、ストラップリブ４０ｅが、内圧にほぼ耐えるように設計されているのに対して、荷重用リブ４４ｅは外部圧力又は外力にほぼ耐えるように設計されているので、ストラップリブ４０ｅリブ側面４８ｅよりも相対的に小さくすることができる。荷重用リブ４４ｅから底部２４ｅ及び脚部４５ｅへの移行は、ストラップリブ４０ｅ、特にリブ側面４８ｅと比較して、より急激に、又はより急峻に行なわれる。移行がより急峻に行なわれると、外部応力耐性を確保することができる。ボトル３に対して押潰しが、梱包中、出荷中、及び／又は取り扱い中に行なわれる場合、荷重用リブ４４ｅからの移行がより急峻に行なわれるので、本明細書において説明される曲げ、及び／又は傾倒に、例えば底部２４ｅの完全性及び形状を保持することにより耐え易くなる。
【０１１２】
移行がより急峻に行なわれることにより、底部２４ｅの脚部４５ｅへの移行が速やかに行なわれるようになる。移行が速やかに行なわれると、相対的に大きい脚部４５ｅのために利用することができる底部２４ｅの面積がより広くなる。本明細書において説明され、且つ図２２に図示される平坦脚底部２４ｅの脚部４５ｅがより大きくなると、座面との樹脂接触領域をより大きくすることができる。より多くの樹脂部分が座面に接触することにより、底部２４ｅの耐摩耗性及び安定性をより高めることができる。
【０１１３】
図２２に示すように、リブ側壁４８ｅはストラップリブ４０ｅへの移行が、リブ側面４８ｅから脚部４５ｅへの移行と比較して、より急激に、又はより急峻に行なわれる。移行がストラップリブ４０ｅ自体の位置でより急峻に行なわれると、より高い剛性が、ストラップリブ４０ｅに付与されて、本明細書において説明される内圧に起因する撓みに耐えることができる、又は曲げを阻止することができる。
【０１１４】
図２４は、底部２４ｅの１つの実施形態の底面図を示している。図２２に示すように、これらのストラップリブ４０ｅは揃うことにより、本明細書において説明されるように、耐圧性バンド又は帯状部９ｅ（図２５）を、方形ボトル３の平坦側壁セグメントの略中央部分に沿って延在するように形成することができる。４個のストラップリブ４０ｅは深リブ２ｃ、２ｄを、側壁コーナーの位置で補完して、方形ボトル３が、側壁の平坦部分に沿って丸みを帯びるのを防止し易くする。
【０１１５】
図２５は、図２２に示すボトル３の１つの実施形態の中心軸線２５に沿った断面を示している。図２５に示すように、平坦リブ又は陥凹コラム７ｅは、別の陥凹コラム７ｅのボトル外周面の反対側に位置している。幾つかの実施形態では、底部２４の直径Ｌｄは、ボトル３の他のいずれの直径よりも、０．６、０．７、０．８、０．９、１、１．１、１．２、１．３、１．４、１．５、１．６、１．７、１．８、又は１．９ミリメートルを含む０．５〜２ミリメートルだけ大きく、これらの値は、区分範囲の値を含み、且つ上に挙げた値を含む。ボトル３の最大直径がＬｄである実施形態では、ボトル３は、生産ライン中及び／又は梱包中の略同様の他のボトル群との単一接触部位を底部２４ｅに有する。更に、底部２４ｅの直径Ｌｄがより大きくなると、底部２４ｅに何らかのダメージが加わる場合の安定性を向上させることができる。図２２に示すように、肩部１８の位置での直径Ｌｓは直径Ｌｄに等しくすることができ、これにより、生産ライン中及び／又は梱包中の略同様の他のボトル群との２箇所の接触部位を肩部１８及び底部２４ｅに設けることができる。幾つかの実施形態では、ボトル３のいずれの部分の直径（群）も変えることができ、この場合、直径を最大にすると、生産ライン中及び／又は梱包中に複数の接触部位を設けることができる。これらのボトルは、単一接触部位か、又は複数箇所に有するかのいずれかとすることができる。
【０１１６】
図２２に示すように、ストラップリブ４０ｅは、陥凹コラム７ｅと垂直方向に揃うことができる。これらのストラップリブ４０ｅ、及び陥凹コラム７ｅは一体となって耐圧性バンド９ｅを形成することができ、この耐圧性バンド９ｅは、ボトル３の一方の側面のラベル部分１０の上部、又は陥凹コラム７ｅの上部から底部２４ｅに至り、そしてゲート５２を通過して底部２４ｅに沿って、ボトル３の他方の側面のラベル部分１０の上部、又は陥凹コラム７ｅの略上部まで延在している。耐圧性バンド９ｅは、ボトル３の底部２４ｅ及び側壁に大部分が作用する内圧に対する耐性を確保して、例えば本明細書において説明される延伸、側壁撓み、及び／又は底部の広がりを阻止することができる。異なる表現をすると、耐圧性バンド９ｅは、ボトル３の一方の側面のラベル部分１０の上部から、ボトル３の一方の側面の側壁に沿って下方に向かって行ってゲート５２を通過し、ボトル３の他方の側面の側壁に沿って上方に向かって行って、ボトル３の他方の側面のラベル部分１０の上部まで延在することにより耐圧性を、本明細書において説明される通りに、且つボトル３の長手方向外周面全体に亘って（中心軸線２５に沿った側壁の位置で、且つ中心軸線を通る底部２４ｅの位置で）略連続して確保することができる。
【０１１７】
図２６は、ボトル１、３内の圧力が増大するとともに耐押潰性が高くなる様子をｌｂｆ単位で示す表及びグラフである。最大耐押潰性は、特定のボトルに関して１３％高くなり、そして最小耐押潰性は、特定のボトルに関して１１％高くなり、耐押潰性は平均で６％高くなった。グラフのｙ軸は、ボトルに加わる押潰圧力を１ｂｆ単位で示している。グラフのｘ軸は、ボトルが、対応する押潰圧力を受けている状態のボトルの変形性を示している。曲線６０は、ボトルが通常の圧力を受けている状態、又はボトルの内部が加圧されている状態のボトルの耐押潰性を示している。曲線６２は、ボトルが通常の低い圧力を受けている状態、又はボトルの内部が加圧されていない状態のボトルの耐押潰性を示している。このグラフは、これらのボトルの初期の剛性がより高く（最大約５０、４０、及び３０ｌｂｆ（それぞれ、２２２、１７８、１３３ニュートン））、そして本明細書において開示される幾つかのボトル形状が可逆的に戻るのが遅れる（約５０、４０、及び３０ｌｂｆ（それぞれ、２２２、１７８、１３３ニュートン））不良を示している。耐押潰性の向上は、幾つかの実施形態の場合に、より顕著になる。グラフに図示される力、及び／又は圧力が加わっている状態では、これらのボトルは、最小限の変形しか示さない、又は変形を恒久的に示さない。これらのボトルは、変形力が解除された後に、所望の形状に戻る。これは、例えば倉庫内、又はボトル輸送中のような梱包中、出荷中、及び／又は取り扱い中の手荒い取り扱いが行なわれる場合に有利である。
【０１１８】
図２７を参照するに、釣鐘状部１６は、終端部１２の垂直壁から釣鐘状部１６の下方傾斜壁に至る経路に沿って測定する場合に、種々の釣鐘型断面形状角度２６を有することができる。これらの釣鐘型断面形状角度２６は、１２２、１２５、１２７、１３０、１３２、１３５、１３７、１４０、１４２、１４５、１４７、１５０、１５２、１５５、１５７、１６０、１６２、１６５、１６７、１７０、及び１７２度を含む１２０〜１７５度の範囲で変化する鈍角とすることができ、これらの値は、区分範囲の値を含み、且つこれまでに挙げた値を含む。θ２で表わされる釣鐘型断面形状角度２６は、θ１で表わされる釣鐘型断面形状角度２６よりも大きい。θ２の釣鐘型断面形状角度２６を有する釣鐘状部１６の壁は、θ１の釣鐘型断面形状角度２６を有する釣鐘状部１６の壁よりも急傾斜である。釣鐘状部１６の壁がより急傾斜になると、ボトル１の耐押潰性を、釣鐘状部１６の壁厚を同じに維持しながら、又は減らしながらも高めることができる。釣鐘型断面形状角度２６がより急峻になると、プリフォームの樹脂が、プリフォーム金型により迅速に、ブロー成形法を行なっている間に触れ易くなる（角度がさほど急峻ではない場合と比較して）。樹脂がプリフォーム金型により迅速に触れると、より多量の樹脂が、より早い時点で急冷されて、ボトルの側壁内に留まって、側壁がより厚くなる。側壁がより厚くなると、本明細書において説明されるように、耐押潰性及び耐圧性を高め易くすることができる。
【０１１９】
図２８を参照するに、ボトル１の１つの実施形態では、薄壁終端部１２及び薄壁ネック部１４を有するプリフォーム３８を使用して軽量ボトルを成形することができる。薄壁ネック部１４は、軽量ボトルを効率的にブローする機能を向上させる。薄壁ネック部１４は、ボトルの重要寸法部分を保護して、形成ブロー成形法を安定させ易くする形状部である。薄壁ネック部１４は更に、所望の機械的性能を実現しながらより少量の樹脂しか使用しなくても済むので、産業における石油製品の使用量を少なくすることができる。プリフォーム３８の薄壁ネック部１４は、上に説明されるように、より大きな釣鐘型断面形状角度２６及び／又はより急峻な釣鐘状部１６を有するボトル１を成形し易くすることができる。更に、上に説明したように、釣鐘状部１６の壁がより急峻になり、且つ相対的に薄くなることにより、より大きな押潰し力を支えることができ、この押潰し力を底部２４に、これらの陥凹コラムを介して伝達することができる。従って、本明細書において開示される種々実施形態は、より厚い底部２４構造、及び／又はより厚い側壁構造を取り入れて、ダメージを受けるときでも、より大きな押潰し力に、同じ量の、又はより少ない量の樹脂しか使用していないにも拘わらず、耐えることができる。より厚い底部２４、及び／又はより厚い側壁は、薄壁ネック部１４、及び釣鐘状部１６の薄壁によって得られ易くなる。
【０１２０】
上に開示されるこれらの実施形態の特定の特徴、及び態様は、種々組み合わせるか、又は部分的に組み合わせることができても、本発明のうちの１つ以上の発明に属するものと考えられる。更に、１つの実施形態に関連付けられたいずれかの特定の機能、態様、方法、特性、特徴、品質、属性、要素などの本明細書における開示内容は、本明細書において説明される全ての他の実施形態に使用することができる。従って、本開示の実施形態の種々の機能及び態様を互いに組み合わせるか、又は互いに置き換えることにより、本開示の実施形態の種々の形態を形成することができることを理解できるであろう。従って、本明細書において開示される本発明の範囲は、上に説明される特定の本開示の実施形態によって制限されてはならない。更に、本発明には、種々の変更及び別の構成があり得るが、本発明の特定の例が、これらの図面に図示され、且つ本明細書において詳細に説明されている。しかしながら、本発明は開示される特定の構成又は方法に限定されるのではなく、本発明は、記載される種々の実施形態、及び添付の請求項の思想及び範囲に含まれる全ての変更物、等価物、及び代替物を含むものとする。本明細書において開示されるいずれの方法も、記載された順番で行なわれる必要はない。本明細書において開示されるこれらの方法は、実施者が行なう特定の操作を含むが、これらの操作は、これらの操作に対する任意の第３者による指示を、明示的に、又は暗示的に含むこともできる。例えば、“懸架ワイヤーを舌部の基部を通って挿通させる”といった操作は、“懸架ワイヤーを舌部の基部を通って挿通させるように指示する”という操作を含んでいる。このようにして表現される概念は、単なる例に過ぎず、且つ実際には、同じ機能を実現する多くの他の概念を実行することができることを理解されたい。概念的には、同じ機能を実現する構成要素群の任意の配置を効果的に“関連付けて”、所望の機能が得られるようにする。従って、概念又は中間構成要素に関係なく、任意の２つの構成要素を本明細書において組み合わせて、互いに“関連付けられる”ものとして見ることができる特定の機能を実現して、所望の機能を得ることができる。本明細書において開示される範囲は、任意且つ全ての重なり部分、部分的範囲も含み、そして“ｕｐ  ｔｏ”、“ａｔ  ｌｅａｓｔ”、“ｇｒｅａｔｅｒ  ｔｈａｎ”、“ｌｅｓｓ  ｔｈａｎ”、“ｂｅｔｗｅｅｎ”などの表現のような範囲の組み合わせは、列挙される数値を含む。本明細書において使用される“ａｐｐｒｏｘｉｍａｔｅｌｙ”、“ａｂｏｕｔ”、及び“ｓｕｂｓｔａｎｔｉａｌｌｙ”のような用語が前に来るときの数値は、列挙される数値を含み、且つ更に、それでもなお、所望の機能を実行する、又は所望の結果を実現するような記載の量に近い量を表わす。例えば、“ａｐｐｒｏｘｉｍａｔｅｌｙ”、“ａｂｏｕｔ”、及び“ｓｕｂｓｔａｎｔｉａｌｌｙ”という用語は、記載の量から１０％未満に収まる量、５％未満に収まる量、１％未満に収まる量、０．１％未満に収まる量、及び０．０１％未満に収まる量を指すことができる。
【０１２１】
本明細書におけるいかなる複数形及び／又は単数形の使用に関して、この技術分野の当業者であれば、文脈及び／又は用途に合うように、複数形から単数形に言い換える、且つ／又は単数形から複数形に言い換えることができる。明瞭化のため、ここでは様々な単数形／複数形の置き換えを明示的に説明することがある。
【０１２２】
一般的に、この技術分野の当業者であれば、本明細書で使用する用語は普通、「非限定的（ｏｐｅｎ）な」用語として用いられる（例えば、「含む（ｉｎｃｌｕｄｉｎｇ）」という用語は、「これらに限定されないが、〜を含む」と解釈されるべきであり、「有する（ｈａｖｉｎｇ）」という用語は、「少なくとも〜を有する」と解釈されるべきであり、「含む（ｉｎｃｌｕｄｅｓ）」という用語は、「これらに限定されないが、〜を含む」と解釈されるべきである等）と理解できるであろう。また、この技術分野の当業者であれば、実施形態の列挙を行なうときに特定の数値であることを意図する場合、このような意図は実施形態の中に明確に記載され、このような記載がない場合は、そのような意図がないことを理解できるであろう。例えば、理解を助けるために、以下の開示では、「少なくとも１つの（ａｔ  ｌｅａｓｔ  ｏｎｅ）」及び「１つ以上の（ｏｎｅ  ｏｒ  ｍｏｒｅ）」という導入フレーズを使用して、実施形態の列挙を行なうことができる。しかしながら、このようなフレーズを使用していることが、「ａ」又は「ａｎ」という不定冠詞で実施形態の列挙を行なうと、同じ実施形態が、「１つ以上の」又は「少なくとも１つの」という導入フレーズと、「ａ」又は「ａｎ」のような不定冠詞を含んでいる場合でも、このようにして行なわれる実施形態の列挙を含むいずれの特定の実施形態も、このような列挙を１つしか含んでいない実施形態に限定されることを意味すると解釈されるべきではなく（例えば、「ａ」及び／又は「ａｎ」は通常、「少なくとも１つの」又は「１つ以上の」を意味すると解釈されるべきである）、同じことが、定冠詞を使用して実施形態の列挙を行なう場合に当てはまる。また、実施形態の列挙が行なわれるときの特定の数値が明示的に記載されている場合でも、この技術分野の当業者であれば、このような列挙は通常、記載された数値を最小限とすることを意味すると解釈されるべきであることを理解できるであろう（例えば、他に修飾語を使用せずに「２つの列挙」とだけ記載されている場合、通常は少なくとも２つの列挙、或いは２つ以上の列挙を意味する）。更に、「Ａ、Ｂ、及びＣのうちの少なくとも１つ」又は「Ａ、Ｂ、又はＣのうちの１つ」などの表現に類似する常套句が使用される場合、一般的にこのような単語の並びは、この技術分野の当業者であればこの常套句を理解することができるであろうという意味で用いられる（例えば、「Ａ、Ｂ、及びＣのうちの少なくとも１つを有するシステム（又は、Ａ、Ｂ、又はＣのうちの１つを有するシステム）」は、これらには限定されないが、Ａのみ、Ｂのみ、Ｃのみを有する、Ａ及びＢの両方、Ａ及びＣの両方、Ｂ及びＣの両方を有する、且つ／又はＡ、Ｂ、及びＣを全て合わせて有するシステムなどを含む）。「Ａ、Ｂ、又はＣなどのうちの少なくとも１つ」に類似する常套句が使用される場合、一般的にこのような単語の並びは、この技術分野の当業者であればこの常套句を理解することができるであろうという意味で用いられる（例えば、「Ａ、Ｂ、又はＣのうちの少なくとも１つを有するシステム」は、これらには限定されないが、Ａのみ、Ｂのみ、Ｃのみを有する、Ａ及びＢの両方、Ａ及びＣの両方、Ｂ及びＣ���両方を有する、且つ／又はＡ、Ｂ、及びＣを全て合わせて有するシステムなどを含む）。この技術分野の当業者であれば、２つ以上の別の用語を表わす事実上全ての離接語、及び／又は離接句は、説明、実施形態、又は図面に含まれているかどうかに関係なく、これらの用語のうちの１つ、これらの用語のうちのいずれか、又は両方の用語を含む可能性があると考えられると理解されるべきであることを理解できるであろう。例えば、「Ａ又はＢ」というフレーズは、「Ａ」又は「Ｂ」、或いは「Ａ及びＢ」の可能性を含むものとして理解される。
【０１２３】
様々な態様及び実施形態が本明細書において開示されているが、他の態様及び実施形態が存在することは、この技術分野の当業者には明らかである。本明細書において開示される様々な態様及び実施形態は、例示のために提示され、限定的であると解釈されてはならない。
【図１】
0006634025.tif 000002
【図２】
0006634025.tif 000003
【図３】
0006634025.tif 000004
【図４】
0006634025.tif 000005
【図５】
0006634025.tif 000006
【図５Ａ】
0006634025.tif 000007
【図６】
0006634025.tif 000008
【図６Ａ】
0006634025.tif 000009
【図７】
0006634025.tif 000010
【図７Ａ】
0006634025.tif 000011
【図８Ａ】
0006634025.tif 000012
【図８Ｂ】
0006634025.tif 000013
【図９】
0006634025.tif 000014
【図１０】
0006634025.tif 000015
【図１１】
0006634025.tif 000016
【図１１Ａ】
0006634025.tif 000017
【図１２】
0006634025.tif 000018
【図１３】
0006634025.tif 000019
【図１４】
0006634025.tif 000020
【図１５】
0006634025.tif 000021
【図１６Ａ】
0006634025.tif 000022
【図１６Ｂ】
0006634025.tif 000023
【図１６Ｃ】
0006634025.tif 000024
【図１７】
0006634025.tif 000025
【図１８】
0006634025.tif 000026
【図１９】
0006634025.tif 000027
【図１９Ａ】
0006634025.tif 000028
【図２０】
0006634025.tif 000029
【図２１】
0006634025.tif 000030
【図２２】
0006634025.tif 000031
【図２３】
0006634025.tif 000032
【図２４】
0006634025.tif 000033
【図２５】
0006634025.tif 000034
【図２６】
0006634025.tif 000035
【図２７】
0006634025.tif 000036
【図２８】
0006634025.tif 000037